(57)【特許請求の範囲】
【請求項１】
ワイヤレス通信のための方法であって、前記方法は、ユーザ機器（ＵＥ）が実行し、前記方法は、
６つ以上のダウンリンクコンポーネントキャリアをサポートするか、または二重物理アップリンク制御チャネル（ＰＵＣＣＨ）構成をサポートする能力を第１または第２の基地局に指示することと、
ダウンリンクコンポーネントキャリアの第１のグループとダウンリンクコンポーネントキャリアの第２のグループとを備える、ダウンリンクコンポーネントキャリアのマルチキャリア構成を前記第１または第２の基地局から受信することと、
第１のＰＵＣＣＨまたは第２のＰＵＣＣＨのうちの少なくとも１つを前記第１または第２の基地局に送信することと、前記第１のＰＵＣＣＨが前記第１のグループのダウンリンクコンポーネントキャリアに関連付けられ、前記第２のＰＵＣＣＨが前記第２のグループのダウンリンクコンポーネントキャリアに関連付けられる
を備え、
前記第１のＰＵＣＣＨが、前記マルチキャリア構成の第１のアップリンクコンポーネントキャリア上に構成され、前記第２のＰＵＣＣＨが、前記マルチキャリア構成の第２のアップリンクコンポーネントキャリア上に構成され、
前記第１のアップリンクコンポーネントキャリアが１次セルグループに対応し、前記第２のアップリンクコンポーネントキャリアが２次セルグループに対応し、
前記１次セルグループが前記第１の基地局に関連付けられ、前記２次セルグループが前記第２の基地局に関連付けられ、
前記第１のＰＵＣＣＨおよび前記第２のＰＵＣＣＨが、単一の共通アップリンクコンポーネントキャリア上に構成される、ワイヤレス通信のための方法。
【請求項２】
前記第１のＰＵＣＣＨ用の第１のハイブリッド自動再送要求（ＨＡＲＱ）ペイロードサイズと前記第２のＰＵＣＣＨ用の第２のＨＡＲＱペイロードサイズとを決定すること
をさらに備え、前記第１のＨＡＲＱペイロードサイズおよび前記第２のＨＡＲＱペイロードサイズの合計ＨＡＲＱペイロードサイズがしきい値を超え、特に、前記しきい値が２０ビットである、請求項１に記載の方法。
【請求項３】
特に、前記第２のＰＵＣＣＨ用のリソースが、前記第１のＰＵＣＣＨ用のリソースに少なくとも部分的に基づいて決定され、
または特に、前記第１のＰＵＣＣＨ用のリソースが、ダウンリンクコンポーネントキャリアの前記第１のグループ内の情報に少なくとも部分的に基づいて決定され、前記第２のＰＵＣＣＨ用のリソースが、ダウンリンクコンポーネントキャリアの前記第２のグループ内の情報に少なくとも部分的に基づいて決定される、請求項１に記載の方法。
【請求項４】
前記第１の基地局および前記第２の基地局が、非理想バックホールリンクを介して通信している、請求項１に記載の方法。
【請求項５】
前記第１のグループの前記ダウンリンクコンポーネントキャリア用のハイブリッド自動再送要求（ＨＡＲＱ）ペイロードサイズに基づいて、前記第１のＰＵＣＣＨ用の第１の電力制御値を決定することと、
前記第２のグループの前記ダウンリンクコンポーネントキャリア用のＨＡＲＱペイロードサイズに基づいて、前記第２のＰＵＣＣＨ用の第２の電力制御値を決定することと
をさらに備える、請求項１に記載の方法。
【請求項６】
前記第１のグループの前記ダウンリンクコンポーネントキャリア用のハイブリッド自動再送要求（ＨＡＲＱ）ペイロードサイズ、前記第２のグループの前記ダウンリンクコンポーネントキャリア用のＨＡＲＱペイロードサイズ、または、前記第１のグループの前記ダウンリンクコンポーネントキャリアと前記第２のグループの前記ダウンリンクコンポーネントキャリアの両方のＨＡＲＱペイロードサイズに基づいて、物理アップリンク共有チャネル（ＰＵＳＣＨ）オフセットを調整すること
をさらに備える、請求項１に記載の方法。
【請求項７】
前記第１のグループのダウンリンクコンポーネントキャリアの数、前記第２のグループのダウンリンクコンポーネントキャリアの数、または前記第１のグループと前記第２のグループの両方のダウンリンクコンポーネントキャリアの数に少なくとも部分的に基づいて、非周期的なチャネル状態情報（ＣＳＩ）報告をトリガすること
をさらに備える、請求項１に記載の方法。
【請求項８】
コンポーネントキャリアの前記第１のグループまたはコンポーネントキャリアの前記第２のグループのコンポーネントキャリアが、キャリアセグメントを含むか、または、
ダウンリンクコンポーネントキャリアの前記第１のグループおよびダウンリンクコンポーネントキャリアの前記第２のグループが、時分割二重（ＴＤＤ）キャリア、周波数分割二重（ＦＤＤ）キャリア、またはＴＤＤキャリアとＦＤＤキャリアの組合せを備える、請求項１に記載の方法。
【請求項９】
前記第１のＰＵＣＣＨおよび前記第２のＰＵＣＣＨ上でスケジューリングされたチャネル状態情報（ＣＳＩ）報告に少なくとも部分的に基づいて、物理アップリンク共有チャネル（ＰＵＳＣＨ）上でアップリンク制御情報を送信すると決定すること
をさらに備える、請求項１に記載の方法。
【請求項１０】
６つ以上のダウンリンクコンポーネントキャリアをサポートするか、または二重物理アップリンク制御チャネル（ＰＵＣＣＨ）構成をサポートする能力を第１または第２の基地局に指示するための手段と、
ダウンリンクコンポーネントキャリアの第１のグループとダウンリンクコンポーネントキャリアの第２のグループとを備える、ダウンリンクコンポーネントキャリアのマルチキャリア構成を前記第１または第２の基地局から受信するための手段と、
第１のＰＵＣＣＨまたは第２のＰＵＣＣＨのうちの少なくとも１つを前記第１または第２の基地局に送信するための手段と、前記第１のＰＵＣＣＨが前記第１のグループのダウンリンクコンポーネントキャリアに関連付けられ、前記第２のＰＵＣＣＨが前記第２のグループのダウンリンクコンポーネントキャリアに関連付けられる
を備え、
前記第１のＰＵＣＣＨが、前記マルチキャリア構成の第１のアップリンクコンポーネントキャリア上に構成され、前記第２のＰＵＣＣＨが、前記マルチキャリア構成の第２のアップリンクコンポーネントキャリア上に構成され、
前記第１のアップリンクコンポーネントキャリアが１次セルグループに対応し、前記第２のアップリンクコンポーネントキャリアが２次セルグループに対応し、
前記１次セルグループが前記第１の基地局に関連付けられ、前記２次セルグループが前記第２の基地局に関連付けられ、
前記第１のＰＵＣＣＨおよび前記第２のＰＵＣＣＨが、単一の共通アップリンクコンポーネントキャリア上に構成される、ワイヤレス通信のための装置。
【請求項１１】
前記第１のＰＵＣＣＨ用の第１のハイブリッド自動再送要求（ＨＡＲＱ）ペイロードサイズと前記第２のＰＵＣＣＨ用の第２のＨＡＲＱペイロードサイズとを決定するための手段
をさらに備え、前記第１のＨＡＲＱペイロードサイズおよび前記第２のＨＡＲＱペイロードサイズの合計ＨＡＲＱペイロードサイズがしきい値を超える、請求項１０に記載の装置。
【請求項１２】
特に、前記第２のＰＵＣＣＨ用のリソースが、前記第１のＰＵＣＣＨ用のリソースに少なくとも部分的に基づいて決定され、
または特に、前記第１のＰＵＣＣＨ用のリソースが、ダウンリンクコンポーネントキャリアの前記第１のグループ内の情報に少なくとも部分的に基づいて決定され、前記第２のＰＵＣＣＨ用のリソースが、ダウンリンクコンポーネントキャリアの前記第２のグループ内の情報に少なくとも部分的に基づいて決定される、請求項８に記載の装置。
【請求項１３】
前記第１の基地局および前記第２の基地局が、非理想バックホールリンクを介して通信している、請求項１０に記載の装置。
【請求項１４】
前記第１のグループの前記ダウンリンクコンポーネントキャリア用のハイブリッド自動再送要求（ＨＡＲＱ）ペイロードサイズに基づいて、前記第１のＰＵＣＣＨ用の第１の電力制御値を決定するための手段と、
前記第２のグループの前記ダウンリンクコンポーネントキャリア用のＨＡＲＱペイロードサイズに基づいて、前記第２のＰＵＣＣＨ用の第２の電力制御値を決定するための手段と
をさらに備える、請求項１０に記載の装置。
【請求項１５】
前記第１のグループの前記ダウンリンクコンポーネントキャリア用のハイブリッド自動再送要求（ＨＡＲＱ）ペイロードサイズ、前記第２のグループの前記ダウンリンクコンポーネントキャリア用のＨＡＲＱペイロードサイズ、または、前記第１のグループの前記ダウンリンクコンポーネントキャリアと前記第２のグループの前記ダウンリンクコンポーネントキャリアの両方のＨＡＲＱペイロードサイズに基づいて、物理アップリンク共有チャネル（ＰＵＳＣＨ）オフセットを調整するための手段
をさらに備える、請求項１０に記載の装置。
【請求項１６】
前記第１のグループのダウンリンクコンポーネントキャリアの数、前記第２のグループのダウンリンクコンポーネントキャリアの数、または前記第１のグループと前記第２のグループの両方のダウンリンクコンポーネントキャリアの数に少なくとも部分的に基づいて、非周期的なチャネル状態情報（ＣＳＩ）報告をトリガするための手段
をさらに備える、請求項１０に記載の装置。
【請求項１７】
コンポーネントキャリアの前記第１のグループまたはコンポーネントキャリアの前記第２のグループのコンポーネントキャリアが、キャリアセグメントを含む、請求項１０に記載の装置。
【請求項１８】
前記第１のＰＵＣＣＨおよび前記第２のＰＵＣＣＨ上でスケジューリングされたチャネル状態情報（ＣＳＩ）報告に少なくとも部分的に基づいて、物理アップリンク共有チャネル（ＰＵＳＣＨ）上でアップリンク制御情報を送信すると決定するための手段
をさらに備える、請求項１０に記載の装置。
【請求項１９】
コンピュータ上で実行されると、請求項１〜９のいずれか一項に記載の方法を実施するための命令を備えるコンピュータプログラム。
【発明の詳細な説明】
【技術分野】
【０００１】
相互参照
[0001]本特許出願は、各々が本出願の譲受人に譲渡された、２０１５年７月１５日に出願された、「Ｔｅｃｈｎｉｑｕｅｓ  ｆｏｒ  Ｅｎａｂｌｉｎｇ  Ｃｏｍｐｏｎｅｎｔ  Ｃａｒｒｉｅｒｓ  ｆｏｒ  Ｍｕｌｔｉ−Ｃａｒｒｉｅｒ  Ｗｉｒｅｌｅｓｓ  Ｃｏｍｍｕｎｉｃａｔｉｏｎ」と題する、Ｃｈｅｎらによる米国特許出願第１４／７９９，８７０号、および２０１４年７月１７日に出願された、「Ｔｅｃｈｎｉｑｕｅｓ  ｆｏｒ  Ｅｎａｂｌｉｎｇ  Ｃｏｍｐｏｎｅｎｔ  Ｃａｒｒｉｅｒｓ  ｆｏｒ  Ｍｕｌｔｉ−Ｃａｒｒｉｅｒ  Ｗｉｒｅｌｅｓｓ  Ｃｏｍｍｕｎｉｃａｔｉｏｎ」と題する、Ｃｈｅｎらによる米国仮特許出願第６２／０２５，８９８号の優先権を主張する。
【背景技術】
【０００２】
[0002]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって、複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００３】
[0003]概して、ワイヤレス多元接続通信システムは、各々が複数のモバイルデバイスのための通信を同時にサポートする、いくつかの基地局を含む場合がある。基地局は、ダウンストリームリンクおよびアップストリームリンク上でモバイルデバイスと通信することができ得る。各基地局は、セルのカバレージエリアと呼ばれる場合があるカバレージ範囲を有する。場合によっては、カバレージエリアは複数のセルに再分割される場合がある。また、場合によっては、基地局は、利用可能なスペクトルの異なる部分上で複数のコンポーネントキャリアを送信することができ得る。これらのコンポーネントキャリアはセルと呼ばれる場合もある。
【０００４】
[0004]ユーザ機器（ＵＥ）は２つ以上のキャリアによってサービスされる場合がある。場合によっては、ＵＥは（たとえば、キャリアアグリゲーションモード（carrier aggregation mode）では）単一の基地局から送信された複数のキャリアによってサービスされる場合があり、他の場合には、ＵＥは２つ以上の基地局から送信された複数のキャリアによってサービスされる（たとえば、二重接続モード）場合がある。ＵＥをサービスすることができ得るキャリアの数は、利用可能な帯域幅スペクトル、および物理アップリンク制御チャネル（ＰＵＣＣＨ）などの制御チャネルシグナリングの能力によって制限される場合がある。
【発明の概要】
【０００５】
[0005]記載される特徴は、概して、マルチキャリアワイヤレス通信用のコンポーネントキャリアを可能にするための改善されたシステム、方法、および装置に関する。コンポーネントキャリアは複数のグループ内にあり得、物理アップリンク制御チャネル（ＰＵＣＣＨ）は各グループに関連付けられ得る。２つのＰＵＣＣＨは、マルチキャリアワイヤレス通信用の６つ以上のダウンリンクコンポーネントキャリアを構成することができ得る。
【０００６】
[0006]説明のための例の第１のセットでは、ワイヤレス通信のための方法が記載される。一例では、方法は、６つ以上のダウンリンクコンポーネントキャリアをサポートするか、または二重物理アップリンク制御チャネル（ＰＵＣＣＨ）構成をサポートする能力を指示することと、ダウンリンクコンポーネントキャリアの第１のグループとダウンリンクコンポーネントキャリアの第２のグループとを備える、６つ以上のダウンリンクコンポーネントキャリアのマルチキャリア構成を受信することと、第１のＰＵＣＣＨまたは第２のＰＵＣＣＨのうちの少なくとも１つを送信することとを含む場合があり、第１のＰＵＣＣＨは第１のグループのダウンリンクコンポーネントキャリアに関連付けられ、第２のＰＵＣＣＨは第２のグループのダウンリンクコンポーネントキャリアに関連付けられる。
【０００７】
[0007]方法のいくつかの例では、第１のグループの複数のダウンリンクコンポーネントキャリアおよび第２のグループの少なくとも１つのダウンリンクコンポーネントキャリアは、合計６つ以上のダウンリンクコンポーネントキャリアを備える。いくつかの例では、コンポーネントキャリアの第１のグループは、コンポーネントキャリアの第２のグループとは異なる。いくつかの例では、方法は、第１のＰＵＣＣＨ用の第１のハイブリッド自動再送要求（ＨＡＲＱ）ペイロードサイズと第２のＰＵＣＣＨ用の第２のＨＡＲＱペイロードサイズとを決定することを含み、第１のＨＡＲＱペイロードサイズおよび第２のＨＡＲＱペイロードサイズの合計ＨＡＲＱペイロードサイズはしきい値を超える。方法のいくつかの例では、しきい値は２０ビットである。
【０００８】
[0008]方法のいくつかの例では、第１のＰＵＣＣＨおよび第２のＰＵＣＣＨは、共通アップリンクコンポーネントキャリア上に構成される。いくつかの例では、第２のＰＵＣＣＨ用のリソースは、第１のＰＵＣＣＨ用のリソースに少なくとも部分的に基づいて決定される。方法のいくつかの例では、第１のＰＵＣＣＨ用のリソースは、コンポーネントキャリアの第１のグループ内の情報に少なくとも部分的に基づいて決定され、第２のＰＵＣＣＨ用のリソースは、コンポーネントキャリアの第２のグループ内の情報に少なくとも部分的に基づいて決定される。
【０００９】
[0009]方法のいくつかの例では、第１のＰＵＣＣＨは第１のアップリンクコンポーネントキャリア上に構成され、第２のＰＵＣＣＨは第２のアップリンクコンポーネントキャリア上に構成される。いくつかの例では、第１のアップリンクコンポーネントキャリアは１次セルグループに対応し、第２のアップリンクコンポーネントキャリアは２次セルグループに対応する。方法のいくつかの例では、１次セルグループは第１の基地局に関連付けられ、２次セルグループは第２の基地局に関連付けられ、第１の基地局および第２の基地局は、非理想バックホールリンク（non-ideal backhaul link）を介して通信している。
【００１０】
[0010]いくつかの例では、方法は、第１のグループの複数のダウンリンクコンポーネントキャリア用のハイブリッド自動再送要求（ＨＡＲＱ）ペイロードサイズに基づいて、第１のＰＵＣＣＨ用の第１の電力制御値を決定することと、第２のグループの少なくとも１つのダウンリンクコンポーネントキャリア用のＨＡＲＱペイロードサイズに基づいて、第２のＰＵＣＣＨ用の第２の電力制御値を決定することとを含む。いくつかの例では、方法は、第１のグループの複数のダウンリンクコンポーネントキャリア用のハイブリッド自動再送要求（ＨＡＲＱ）ペイロードサイズ、第２のグループの少なくとも１つのダウンリンクコンポーネントキャリア用のＨＡＲＱペイロードサイズ、または、第１のグループの複数のダウンリンクコンポーネントキャリアと第２のグループの少なくとも１つのダウンリンクコンポーネントキャリアの両方のＨＡＲＱペイロードサイズに基づいて、物理アップリンク共有チャネル（ＰＵＳＣＨ）オフセットを調整することを含む。
【００１１】
[0011]いくつかの例では、方法は、コンポーネントキャリアの第１のグループのコンポーネントキャリアの数、コンポーネントキャリアの第２のグループのコンポーネントキャリアの数、またはコンポーネントキャリアの第１のグループと第２のグループの両方のコンポーネントキャリアの数に基づいて、非周期的なチャネル状態情報（ＣＳＩ）報告をトリガすることを含む。方法のいくつかの例では、コンポーネントキャリアの第１のグループまたはコンポーネントキャリアの第２のグループのコンポーネントキャリアは、キャリアセグメントを備える。方法のいくつかの例では、コンポーネントキャリアの第１のグループおよびコンポーネントキャリアの第２のグループは、時分割二重（ＴＤＤ）キャリア、周波数分割二重（ＦＤＤ）キャリア、またはＴＤＤキャリアとＦＤＤキャリアの組合せを備える。いくつかの例では、方法は、第１のＰＵＣＣＨおよび第２のＰＵＣＣＨ上のチャネル状態情報（ＣＳＩ）報告スケジュールに少なくとも部分的に基づいて、物理アップリンク共有チャネル（ＰＵＳＣＨ）上でアップリンク制御情報を送信すると決定することを含む。
【００１２】
[0012]説明のための例の第２のセットでは、ワイヤレス通信のための装置が記載される。一例では、装置は、プロセッサと、プロセッサと電子通信しているメモリと、メモリに記憶された命令とを含む場合がある。命令は、６つ以上のダウンリンクコンポーネントキャリアをサポートするか、または二重物理アップリンク制御チャネル（ＰＵＣＣＨ）構成をサポートする能力を指示することと、ダウンリンクコンポーネントキャリアの第１のグループとダウンリンクコンポーネントキャリアの第２のグループとを備える、６つ以上のダウンリンクコンポーネントキャリアのマルチキャリア構成を受信することと、第１のＰＵＣＣＨまたは第２のＰＵＣＣＨのうちの少なくとも１つを送信することとを行うようにプロセッサによって実行可能であり得、第１のＰＵＣＣＨは第１のグループのダウンリンクコンポーネントキャリアに関連付けられ、第２のＰＵＣＣＨは第２のグループのダウンリンクコンポーネントキャリアに関連付けられる。装置のいくつかの例では、命令はまた、説明のための例の第１のセットに関して上述されたワイヤレス通信のための方法の１つまたは複数の態様を実施するようにプロセッサによって実行可能であり得る。
【００１３】
[0013]説明のための例の第３のセットでは、ワイヤレス通信のための別の装置が記載される。一例では、装置は、６つ以上のダウンリンクコンポーネントキャリアをサポートするか、または二重物理アップリンク制御チャネル（ＰＵＣＣＨ）構成をサポートする能力を指示するための手段と、ダウンリンクコンポーネントキャリアの第１のグループとダウンリンクコンポーネントキャリアの第２のグループとを備える、６つ以上のダウンリンクコンポーネントキャリアのマルチキャリア構成を受信するための手段と、第１のＰＵＣＣＨまたは第２のＰＵＣＣＨのうちの少なくとも１つを送信するための手段とを含む場合があり、第１のＰＵＣＣＨは第１のグループのダウンリンクコンポーネントキャリアに関連付けられ、第２のＰＵＣＣＨは第２のグループのダウンリンクコンポーネントキャリアに関連付けられる。いくつかの例では、装置は、説明のための例の第１のセットに関して上述されたワイヤレス通信のための方法の１つまたは複数の態様を実施するための手段をさらに含む場合がある。
【００１４】
[0014]説明のための例の第４のセットでは、ワイヤレス通信のためのコンピュータ実行可能コードを記憶する非一時的コンピュータ可読媒体が記載される。一例では、コードは、６つ以上のダウンリンクコンポーネントキャリアをサポートするか、または二重物理アップリンク制御チャネル（ＰＵＣＣＨ）構成をサポートする能力をインジケーティングすることと、ダウンリンクコンポーネントキャリアの第１のグループとダウンリンクコンポーネントキャリアの第２のグループとを備える、６つ以上のダウンリンクコンポーネントキャリアのマルチキャリア構成を受信することと、第１のＰＵＣＣＨまたは第２のＰＵＣＣＨのうちの少なくとも１つを送信することとを行うようにプロセッサによって実行可能であり得、第１のＰＵＣＣＨは第１のグループのダウンリンクコンポーネントキャリアに関連付けられ、第２のＰＵＣＣＨは第２のグループのダウンリンクコンポーネントキャリアに関連付けられる。非一時的コンピュータ可読媒体のいくつかの例では、コードはまた、説明のための例の第１のセットに関して上述されたワイヤレス通信のための方法の１つまたは複数の態様を実施するようにプロセッサによって実行可能であり得る。
【００１５】
[0015]上記では、以下の発明を実施するための形態がより良く理解され得るように、本開示による例の特徴および技術的利点をかなり広く概説した。さらなる特徴および利点が以下に記載される。開示される概念および具体例は、本開示の同じ目的を遂行するための他の構造を修正または設計するための基礎として容易に利用され得る。そのような等価な構成は、添付の特許請求の範囲から逸脱しない。本明細書で開示される概念の特徴は、それらの構成と動作方法の両方に関して、関連する利点と一緒に、添付の図とともに考慮されるときに以下の説明からより良く理解されよう。図の各々は、例示および説明のみを目的として提供されるものであり、特許請求の範囲の制限を定義するものとして提供されるものではない。
【００１６】
[0016]本発明の本質および利点のさらなる理解は、以下の図面を参照することによって達成され得る。添付の図において、同様の構成要素または特徴は、同じ参照ラベルを有する場合がある。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれか１つに適用可能である。
【図面の簡単な説明】
【００１７】
【図１】[0017]本開示の様々な態様による、ワイヤレス通信システムのブロック図。
【図２Ａ】[0018]本開示の様々な態様による、コンポーネントキャリアのグループによってサービスされるＵＥを有するワイヤレス通信システムの一例を示す図。
【図２Ｂ】[0019]本開示の様々な態様による、コンポーネントキャリアのグループによってサービスされるＵＥを有するワイヤレス通信システムの別の例を示す図。
【図３】[0020]本開示の様々な態様による、コンポーネントキャリアのグループによってサービスされるＵＥを有するワイヤレス通信システムの別の例を示す図。
【図４Ａ】[0021]本開示の様々な態様による、ワイヤレス通信システム内のコンポーネントキャリアの一例を示す図。
【図４Ｂ】[0022]本開示の様々な態様による、ワイヤレス通信システム内のコンポーネントキャリアの別の例を示す図。
【図４Ｃ】[0023]本開示の様々な態様による、ワイヤレス通信システム内のコンポーネントキャリアの別の例を示す図。
【図５】[0024]本開示の様々な態様による、ワイヤレス通信において使用するための装置のブロック図。
【図６】[0025]本開示の様々な態様による、ワイヤレス通信において使用するための別の装置のブロック図。
【図７】[0026]本開示の様々な態様による、ワイヤレス通信において使用するための別の装置のブロック図。
【図８】[0027]本開示の様々な態様による、ワイヤレス通信において使用するための別の装置のブロック図。
【図９】[0028]本開示の様々な態様による、ワイヤレス通信のためのシステムのブロック図。
【図１０】[0029]本開示の様々な態様による、ワイヤレス通信のためのシステムのブロック図。
【図１１】[0030]本開示の様々な態様による、ワイヤレス通信のための方法の一例を示すフローチャート。
【図１２】[0031]本開示の様々な態様による、ワイヤレス通信のための方法の別の例を示すフローチャート。
【図１３】[0032]本開示の様々な態様による、ワイヤレス通信のための方法のまた別の例を示すフローチャート。
【発明を実施するための形態】
【００１８】
[0033]マルチキャリアワイヤレス通信用のコンポーネントキャリアを可能にするための技法が記載される。多数のＣＣをサポートするための様々なオプションが説明される。様々な例では、制御チャネルまたはデータチャネルの設計に重点を置くと、ＣＣ使用における増加が可能になり得る。場合によっては、キャリアアグリゲーションにおける二重接続または二重ＰＵＣＣＨの使用を最大化することが有益であり得る。さらに他の例では、キャリアセグメントを利用して１つのＣＣを４０ＭＨｚまで拡張することは、さらなる帯域幅の柔軟性を提供することができ得る。これらの技法の様々な組合せは、既存のシステムの様々な態様に対する影響を制限するために組み合わされ得る。
【００１９】
[0034]６つ以上のダウンリンクコンポーネントキャリアをサポートするＵＥまたは基地局の能力が識別および／または指示され得る。マルチキャリア構成が受信され得る。マルチキャリア構成は、コンポーネントキャリアの第１のグループとコンポーネントキャリアの第２のグループとを含む場合がある。コンポーネントキャリアの第１のグループは、複数のダウンリンクコンポーネントキャリアを含む場合がある。コンポーネントキャリアの第２のグループは、少なくとも１つのダウンリンクコンポーネントキャリアを含む場合がある。第１の物理アップリンク制御チャネル（ＰＵＣＣＨ）、第２のＰＵＣＣＨ、または第１のＰＵＣＣＨと第２のＰＵＣＣＨの組合せが送信され得る。第１のＰＵＣＣＨは、第１のグループの複数のダウンリンクコンポーネントキャリアに関連付けられる場合があり、第２のＰＵＣＣＨは、第２のグループの少なくとも１つのダウンリンクコンポーネントキャリアに関連付けられる場合がある。
【００２０】
[0035]本明細書に記載される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用される場合がある。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装することができ得る。ＣＤＭＡ２０００は、ＩＳ−２０００規格と、ＩＳ−９５規格と、ＩＳ−８５６規格とを包含する。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装することができ得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装することができ得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する組織からの文書に記載されている。本明細書に記載される技法は、上述のシステムおよび無線技術、ならびに他のシステムおよび無線技術に使用される場合がある。しかしながら、下記の説明は例示のためにＬＴＥシステムを記載し、下記の説明の多くにおいてＬＴＥ用語が使用されるが、この技法は、ＬＴＥ用途以外に適用可能である。
【００２１】
[0036]したがって、以下の説明は例を提供するものであり、特許請求の範囲に記載された範囲、適用性、または構成を限定するものではない。本開示の趣旨および範囲から逸脱することなく、説明される要素の機能および構成において変更が行われ得る。様々な例は、適宜、様々な手順または構成要素を省略、置換、または追加することができ得る。たとえば、記載される方法は、記載される順序とは異なる順序で実施される場合があり、様々なステップが追加されるか、省略されるか、または組み合わされる場合がある。また、いくつかの例に関して記載される特徴は、他の例において組み合わされる場合がある。
【００２２】
[0037]図１は、本開示の様々な態様による、ワイヤレス通信システム１００のブロック図を示す。ワイヤレス通信システム１００は、基地局１０５と、ユーザ機器（ＵＥ）１１５としても知られる通信デバイスと、コアネットワーク１３０とを含む。基地局１０５は、様々な例においてコアネットワーク１３０または基地局１０５の一部であり得る、基地局コントローラ（図示せず）の制御下でＵＥ１１５と通信することができ得る。基地局１０５は、バックホール１３２を通してコアネットワーク１３０と制御情報またはユーザデータを通信することができ得る。いくつかの例では、基地局１０５は、有線またはワイヤレスの通信リンクであり得るバックホールリンク１３４を介して、直接的または間接的のいずれかで、互いに通信することができ得る。
【００２３】
[0038]ワイヤレス通信システム１００は、複数のキャリア（たとえば、異なる周波数の波形信号）上の動作をサポートすることができ得る。マルチキャリア送信機は、変調された信号を複数のキャリア上で同時に送信することができる。たとえば、各通信リンク１２５は、上述された様々な無線技術に従って変調されたマルチキャリア信号であり得る。各々の変調された信号は、異なるキャリア上で送られ得、制御情報（たとえば、基準信号、制御チャネルなど）、オーバーヘッド情報、データなどを搬送することができ得る。キャリアの特定の組合せは、ＵＥ１１５が基地局１０５の様々なキャリアと同期する方式を規定することができ得る。以下に記載されるように、ＵＥ１１５は様々な基地局１０５からサービスされ得、様々な基地局１０５のうちのいくつかは複数のキャリアを用いて構成され得る。
【００２４】
[0039]基地局１０５は、１つまたは複数の基地局アンテナを介してＵＥ１１５とワイヤレスに通信することができ得る。基地局１０５のサイトの各々は、それぞれの地理的カバレージエリア１１０に通信カバレージを提供することができ得る。いくつかの例では、基地局１０５は、トランシーバ基地局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または他の何らかの適切な用語で呼ばれる場合がある。基地局１０５のためのカバレージエリア１１０は、カバレージエリアの一部分を構成するセクタに分割され得る（図示せず）。ワイヤレス通信システム１００は、様々なタイプ（たとえば、マクロ基地局、マイクロ基地局、またはピコ基地局）の基地局１０５を含む場合がある。様々な技術用の重複するカバレージエリアがあり得る。
【００２５】
[0040]いくつかの例では、ワイヤレス通信システム１００はＬＴＥ／ＬＴＥ−Ａネットワークである。ＬＴＥ／ＬＴＥ−Ａネットワークでは、発展型ノードＢ（ｅＮＢ）およびＵＥという用語は、一般に、それぞれ、基地局１０５およびＵＥ１１５を記述するために使用され得る。ワイヤレス通信システム１００は、異なるタイプの基地局１０５が様々な地理的領域にカバレージを提供する、異種ＬＴＥ／ＬＴＥ−Ａネットワークであり得る。たとえば、各基地局１０５は、マクロセル、スモールセル、または他のタイプのセルに通信カバレージを提供することができ得る。「セル」という用語は、文脈に応じて、基地局、基地局に関連付けられたキャリア、またはキャリアもしくは基地局のカバレージエリア（たとえば、セクタなど）を記述するために使用され得る３ＧＰＰ用語である。
【００２６】
[0041]マクロセルは、概して、比較的大きい地理的エリア（たとえば、半径数キロメートル）をカバーし、ネットワークプロバイダとのサービスに加入しているＵＥによる無制限アクセスを可能にすることができ得る。スモールセルは、マクロセルと同じまたは異なる（たとえば、認可、無認可などの）周波数帯域内で動作することができ得る低電力基地局である。スモールセルには、ピコセル、フェムトセル、およびマイクロセルが含まれる。ピコセルは、概して、比較的小さい地理的エリアをカバーするものであり、ネットワークプロバイダとのサービスに加入しているＵＥによる無制限アクセスを可能にすることができ得る。フェムトセルも、概して、比較的小さい地理的エリア（たとえば、自宅）をカバーするものであり、フェムトセルとの関連を有するＵＥ（たとえば、限定加入者グループ（ＣＳＧ）内のＵＥ、自宅内のユーザのためのＵＥなど）による限定アクセスを提供することができ得る。マクロセル用の基地局は、マクロｅＮＢと呼ばれる場合がある。ピコセル用の基地局は、ピコｅＮＢと呼ばれる場合がある。また、フェムトセル用の基地局は、フェムトｅＮＢまたはホームｅＮＢと呼ばれる場合がある。基地局１０５は、１つまたは複数（たとえば、２つ、３つ、４つなど）のセルをサポートすることができ得る。
【００２７】
[0042]コアネットワーク１３０は、バックホール１３２（たとえば、Ｓ１など）を介して基地局１０５と通信することができ得る。基地局１０５はまた、たとえば、バックホールリンク１３４（たとえば、Ｘ２など）を介して、またはバックホールリンク１３２を介して（たとえば、コアネットワーク１３０を通して）、直接的または間接的に互いに通信することができ得る。ワイヤレス通信システム１００は、同期動作または非同期動作をサポートすることができ得る。同期動作の場合、基地局は同様のフレームタイミングを有することができ得、異なる基地局からの送信はほぼ時間的に整列され得る。非同期動作の場合、基地局は異なるフレームタイミングを有することができ得、異なる基地局からの送信は時間的に整列されない場合がある。
【００２８】
[0043]様々な開示された例のうちのいくつかに適応することができ得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、パケットセグメンテーションとリアセンブリとを実行して論理チャネルを介して通信することができ得る。媒体アクセス制御（ＭＡＣ）レイヤは、優先度ハンドリングと、トランスポートチャネルへの論理チャネルの多重化とを実行ことができ得る。ＭＡＣレイヤはまた、リンク効率を改善するために、ハイブリッド自動再送要求（ＨＡＲＱ）を使用してＭＡＣレイヤにおける再送信を実現することができ得る。制御プレーンでは、無線リソース制御（ＲＲＣ）プロトコルレイヤは、ユーザプレーンデータに使用されるＵＥとネットワークとの間のＲＲＣ接続の確立と、構成と、維持とを実現することができ得る。物理（ＰＨＹ）レイヤにおいて、トランスポートチャネルは物理チャネルにマッピングされ得る。
【００２９】
[0044]ＵＥ１１５は、ワイヤレス通信システム１００全体にわたって分散され得る。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、腕時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５は、セルラーもしくは他のＷＷＡＮアクセスネットワーク、またはＷＬＡＮアクセスネットワークなどの様々なタイプのアクセスネットワークを介して通信することも可能であり得る。ＵＥ１１５との通信のいくつかのモードでは、複数の通信リンク１２５（すなわち、キャリア）を介して通信が行われ得、各通信リンク１２５は、ＵＥ１１５といくつかのセル（たとえば、場合によってはそれらのセルが同じまたは異なる基地局１０５によって動作され得る、サービングセル）のうちの１つとの間のキャリアを使用する。
【００３０】
[0045]各キャリアは、認可無線周波数スペクトル帯域または無認可無線周波数スペクトル帯域を介して提供され得る。大まかに言うと、いくつかの管轄内の無認可スペクトルは、６００メガヘルツ（ＭＨｚ）から６ギガヘルツ（ＧＨｚ）までの範囲であり得る。本明細書で使用する「無認可無線周波数スペクトル」、「無認可スペクトル」、または「共有スペクトル」という用語は、したがって、それらの帯域の周波数にかかわらず、産業科学医療用（ＩＳＭ）無線帯域を指す場合がある。いくつかの例では、無認可スペクトルは、５ＧＨｚ帯域または５Ｇ帯域と呼ばれる場合もある、Ｕ−ＮＩＩ無線帯域である。対照的に、「認可無線周波数スペクトル」、「認可スペクトル」、または「セルラースペクトル」という用語は、本明細書では、所管官庁からの管理ライセンス下のワイヤレスネットワーク事業者によって利用されるワイヤレススペクトルを指すために使用される場合がある。特定の通信モードで使用される１組のキャリアは、すべて、（たとえば、ＵＥ１１５において）認可無線周波数スペクトル帯域を介して受信されるか、すべて、（たとえば、ＵＥ１１５において）無認可無線周波数スペクトル帯域を介して受信されるか、または（たとえば、ＵＥ１１５において）認可無線周波数スペクトル帯域と無認可無線周波数スペクトル帯域の組合せを介して受信される場合がある。
【００３１】
[0046]ワイヤレス通信システム１００内に示された通信リンク１２５は、ＵＥ１１５から基地局１０５へのアップリンク（ＵＬ）送信、または基地局１０５からＵＥ１１５へのダウンリンク（ＤＬ）送信を含む場合がある。ダウンリンク送信は順方向リンク送信と呼ばれる場合もあり、アップリンク送信は逆方向リンク送信と呼ばれる場合もある。通信リンク１２５は、（たとえば、対スペクトルリソースを使用する）ＦＤＤ、または（たとえば、不対スペクトルリソースを使用する）ＴＤＤ動作を使用して、双方向通信を送信することができ得る。ＦＤＤ用のフレーム構造（たとえば、フレーム構造タイプ１）およびＴＤＤ用のフレーム構造（たとえば、フレーム構造タイプ２）が定義され得る。ＤＬ送信またはＵＬ送信は、認可無線周波数スペクトル帯域、無認可無線周波数スペクトル帯域、または両方を使用して行われ得る。
【００３２】
[0047]ワイヤレス通信システム１００は、マルチキャリア構成、キャリアアグリゲーション（ＣＡ）、または二重接続と呼ばれる場合がある、複数のキャリア上での動作をサポートすることができ得る。キャリアは、コンポーネントキャリア（ＣＣ）、レイヤ、チャネルなどと呼ばれる場合もある。「コンポーネントキャリア」という用語は、キャリアアグリゲーション（ＣＡ）動作においてＵＥによって利用される複数のキャリアの各々を指す場合があり、システム帯域幅の他の部分とは別個であり得る。たとえば、コンポーネントキャリアは、独立して、または他のコンポーネントキャリアと組み合わせて利用されることが可能である、比較的狭い帯域幅のキャリアであり得る。各個別のコンポーネントキャリアは、ＬＴＥ規格のリリース８またはリリース９に基づいて、たとえば、シングルキャリアと同じ能力を提供することができ得る。複数のコンポーネントキャリアは、いくつかのＵＥ１１５に、より大きい帯域幅と、たとえば、より高いデータレートとを提供するために、アグリゲートされるか、または同時に利用され得る。したがって、個別のコンポーネントキャリアは、従来のＵＥ１１５（たとえば、ＬＴＥリリース８またはリリース９を実装するＵＥ１１５）との後方互換性があり得るが、他のＵＥ１１５（たとえば、リリース８／９後のＬＴＥバージョンを実装するＵＥ１１５）は、マルチキャリアモードにおいて複数のコンポーネントキャリアを用いて構成され得る。ダウンリンクに使用されるキャリアはダウンリンクＣＣと呼ばれる場合があり、アップリンクに使用されるキャリアはアップリンクＣＣと呼ばれる場合がある。セルは、アップリンクＣＣとダウンリンクＣＣとを含む場合がある。ＵＥ１１５は、マルチキャリア動作のための、複数のダウンリンクＣＣと１つまたは複数のアップリンクＣＣとを用いて構成され得る。マルチキャリア構成は、ＦＤＤおよびＴＤＤのコンポーネントキャリアの様々な組合せで使用され得る。コンポーネントキャリアは、認可無線周波数スペクトル帯域、無認可無線周波数スペクトル帯域、または認可無線周波数スペクトル帯域と無認可無線周波数スペクトル帯域の組合せを利用することができ得る。
【００３３】
[0048]いくつかの例では、様々なＵＥ１１５は、各々、ＵＥ固有の（「１次セル」もしくは「ＰＣｅｌｌ」とも呼ばれる）１次コンポーネントキャリア（ＰＣＣ）、または１つもしくは複数の（「２次セル」もしくは「ＳＣｅｌｌ」とも呼ばれる）２次コンポーネントキャリアを用いて構成される。ＰＣｅｌｌは、認可無線周波数スペクトル帯域を利用することができ得、ＳＣｅｌｌは、いくつかの例では、認可無線周波数スペクトル帯域または無認可無線周波数スペクトル帯域を利用することができ得る。他の例では、ＰＣｅｌｌとＳＣｅｌｌの両方は、認可無線周波数スペクトル帯域または無認可無線周波数スペクトル帯域を利用することができ得る。
【００３４】
[0049]ＰＣｅｌｌは、ダウンリンクＰＣＣとアップリンクＰＣＣとを含む場合がある。ＳＣｅｌｌは、ダウンリンクＳＣＣを含む場合があり、構成された場合、アップリンクＳＣＣを含む場合がある。ＳＣｅｌｌについてのスケジューリングを含む制御情報は、ＳＣｅｌｌ上で、またはクロスキャリア制御シグナリングと呼ばれる場合がある、異なるセル（ＰＣｅｌｌもしくはＳＣｅｌｌ）上で実行され得る。ＰＣｅｌｌは、（たとえば、最強の利用可能なキャリアとして）基地局１０５との接続を確立するより前に、ＵＥ１１５によって識別され得る。ＵＥ１１５がＰＣｅｌｌを介して基地局１０５との接続を確立すると、上位レイヤのシグナリング（たとえば、ＲＲＣなど）を介して、１つまたは複数のＳＣｅｌｌが構成され得る。ＳＣｅｌｌの構成は、たとえば、ＲＲＣシグナリングを介してＳＣｅｌｌについてのすべてのシステム情報（ＳＩ）を送ることを含む場合がある。別のセルからスケジュールされるように構成されたセルのグループは、関連セルまたは関連ＣＣと呼ばれる場合がある。
【００３５】
[0050]場合によっては、ＰＣｅｌｌとＳＣｅｌｌの両方が同じ基地局１０５によってサポートされる。他の場合には、ＰＣｅｌｌは１つの基地局１０５によってサポートされ得、１つまたは複数のＳＣｅｌｌは、同じ基地局１０５または異なる基地局１０５によってサポートされ得る。本明細書に記載される技法は、１つまたは複数の基地局１０５によってサポートされる１つのＰＣｅｌｌと、任意の数のＳＣｅｌｌとを用いたマルチキャリア方式に適用され得る。ＵＥ１１５が異なる基地局１０５からサービスされる構成は、二重接続構成と呼ばれる場合がある。二重接続では、基地局１０５のうちの１つまたは複数は、キャリアアグリゲーションをサポートすることができ得る。
【００３６】
[0051]いくつかの例では、ＵＥ１１５は、１つまたは複数の基地局１０５とのマルチキャリア動作のために５つのコンポーネントキャリア（ＣＣ）を用いて構成され得る。各ＣＣは、最大２０ＭＨｚの帯域幅を利用することができ得、ＬＴＥの以前のバージョン（たとえば、リリース８および９）を実装するデバイスとの後方互換性があり得る。したがって、いくつかの例では、１００ＭＨｚの帯域幅がＵＥ向けに構成され得る。マルチキャリア構成内のＣＣは、すべてＦＤＤキャリアであり得るか、すべてＴＤＤキャリアであり得るか、またはＦＤＤキャリアとＴＤＤキャリアの混合であり得る。異なるＴＤＤのＣＣは、同じまたは異なるアップリンク／ダウンリンク構成を有する場合がある。たとえば、異なるアップリンクＣＣまたは異なるダウンリンクＣＣ向けに、個別に特殊サブフレームが構成され得る。
【００３７】
[0052]代替として、ＵＥ１１５は、１つまたは複数の基地局１０５とのマルチキャリア動作のために６つ以上のＣＣを用いて構成され得る。６つ以上のＣＣをサポートするために、様々な制御チャネル構成またはデータチャネル構成が実装され得る。また、場合によっては、各ＣＣは、認可無線周波数スペクトル帯域または無認可無線周波数スペクトル帯域内の２０ＭＨｚ以上の帯域幅を利用することができ得る。したがって、ＵＥ１１５は、１００ＭＨｚを超える帯域幅を利用することができ得る。
【００３８】
[0053]いくつかの例では、セルの１つのＣＣは、１次ＣＣ（ＰＣＣ）として指定される場合がある。ＰＣＣは、物理アップリンク制御チャネル（ＰＵＣＣＨ）と、ＰＤＣＣＨ用の共通探索空間とを搬送することができ得る。そのような場合、ＰＣＣ以外のＣＣは、ＰＵＣＣＨを搬送することができない。マルチキャリア構成の他の例では、２つのＣＣがＰＵＣＣＨを搬送するように構成される場合がある。たとえば、ＰＣＣがＰＵＣＣＨを搬送するように構成され得、ＳＣＣもＰＵＣＣＨを搬送するように構成され得る。
【００３９】
[0054]マルチキャリア構成内のＰＵＣＣＨは、あらかじめ定義されたフォーマットを含む場合がある。たとえば、チャネル選択を有するＰＵＣＣＨフォーマット１ｂは、肯定応答／否定応答（ＡＣＫ／ＮＡＣＫ）ペイロード用の最大４ビットを含む場合がある。ＡＣＫ／ＮＡＣＫペイロードは、たとえば、ハイブリッド自動再送要求（ＨＡＲＱ）ペイロードであり得る。ＰＵＣＣＨフォーマット１ｂでは、ＡＣＫ／ＮＡＣＫを示すために必要とされるビットの数が４ビット以下である場合、ＡＣＫ／ＮＡＣＫペイロードのバンドリングは使用されない場合がある。しかし、ＡＣＫ／ＮＡＣＫを示すために必要とされるビットの数が４ビットよりも大きい場合、時間領域バンドリングとともに空間バンドリングがＡＣＫ／ＮＡＣＫペイロードに使用され得る。別の例として、ＰＵＣＣＨフォーマット３は、ＡＣＫ／ＮＡＣＫペイロード用の最大２０ビットを含む場合がある。ＰＵＣＣＨフォーマット３では、ＡＣＫ／ＮＡＣＫを示すために必要とされるビットの数が２０ビット以下である場合、ＡＣＫ／ＮＡＣＫペイロードのバンドリングは使用されない場合がある。しかし、ＡＣＫ／ＮＡＣＫを示すために必要とされるビットの数が２０ビットよりも大きい場合、空間バンドリングがＡＣＫ／ＮＡＣＫペイロードに使用され得る。場合によっては、時間領域内のＡＣＫ／ＮＡＣＫバンドリングは、複数のサブフレームにわたって拡散された複数のコードワードのための単一の肯定応答を送信することを含む場合がある。これは、特定のアップリンクサブフレームに関連付けられた複数のダウンリンクサブフレームにわたって、肯定応答の論理「ＡＮＤ」演算を実行することを含む場合がある。空間バンドリングは、同じサブフレーム内の異なる空間レイヤ上の複数のコードワードからの肯定応答を、複数の肯定応答に対して論理「ＡＮＤ」演算を実行することなどによって、単一の肯定応答にまとめることを含む場合がある。したがって、ＡＣＫ／ＮＡＣＫバンドリングは、ダウンリンクコードワードのグループ内のゼロ以上のトランスポートブロックが誤って送信されたかどうかを示すことができ得る。
【００４０】
[0055]いくつかの例では、セル（たとえば、共通のＵＥ１１５をサービスするコンポーネントキャリアを有する基地局１０５）は、理想的なバックホールをもたない場合がある。その結果、制限されたバックホール能力または無視できないバックホール待ち時間（たとえば、１０ミリ秒の待ち時間）に起因して、セル間の非常に緊密な調整が可能ではない場合がある。そのような例では、ある特定の二重接続実装は、セル間の非理想バックホールに関連する問題に対処することができ得る。たとえば、セルは２つのグループ、すなわち１次セルグループ（ＰＣＧ）および２次セルグループ（ＳＣＧ）に区分化される場合がある。各グループのキャリアは、ＵＥ１１５をサービスするためにアグリゲートされ得る。いくつかの例では、各グループは、各々、ＰＵＣＣＨを搬送するセルを有する場合がある。たとえば、ＰＣＧ内のＰＣｅｌｌは、ＰＣＧ用のＰＵＣＣＨを搬送することができ得る。ＳＣＧ内のＳＣｅｌｌは、ＳＣＧ用のＰＵＣＣＨを搬送することができ得る。ＳＣＧ用のＰＵＣＣＨは、ＰＵＣＣＨのＳＣｅｌｌと呼ばれる場合もある。したがって、ＵＥ１１５は、非理想バックホールににもかかわらず、様々なセルグループにフィードバックを提供するように構成され得る。
【００４１】
[0056]追加または代替として、ある特定の二重接続解決策は、ＵＥ１１５によってＳＣＧ内で監視されるべき共通探索空間を提供することができ得る。いくつかの例では、アップリンク制御情報は、各グループ内のＰＵＣＣＨを介して各グループに個別に伝達される場合がある。また、場合によっては、半永続的スケジューリング（ＳＰＳ）およびスケジューリング要求（ＳＲ）も、ＳＣＧ内でサポートされ得る。
【００４２】
[0057]ワイヤレス通信システム１００内で多数のＣＣまたは大きい帯域幅動作がサポートされる場合、二重接続およびキャリアアグリゲーションのさらなる利点も実現され得る。これを達成するために、無認可無線周波数スペクトル帯域（たとえば、ＬＴＥ−Ｕ周波数スペクトル帯域）によって提供される追加周波数スペクトルが活用され得る。たとえば、ＬＴＥ−Ｕでは、利用可能な総帯域幅は、１００ＭＨｚよりも大きい（たとえば、１６０ＭＨｚ）場合があり、利用可能な総帯域幅は、認可無線周波数スペクトル帯域内のＣＣとアグリゲートされ得る。
【００４３】
[0058]代替として、ＬＴＥシステム内でしばしば利用されるよりも大きい帯域幅、たとえば、２０ＭＨｚよりも大きい帯域幅を有するＣＣを定義することによって、追加帯域幅が実現され得る。たとえば、４０ＭＨｚ、８０ＭＨｚ、１６０ＭＨｚなどを有するＣＣが定義され得る。しかしながら、これらの大きいＣＣは、実装されるために、既存のシステムおよびデバイスに著しい変化を要求する場合がある。たとえば、追加システム帯域幅、各帯域幅の詳細（たとえば、システム帯域幅に依存する物理レイヤパラメータ）、およびパフォーマンス要件が、示される必要があり得る。
【００４４】
[0059]大きい帯域幅のキャリアに関連する問題を回避するために、キャリアごとのシステム帯域幅は２０ＭＨｚに制限され得るが、ＵＥ１１５用にアグリゲートされるＣＣの数は５つよりも大きい場合がある。たとえば、ＵＥ１１５用に１０個のＣＣがアグリゲートされる場合がある。１０個のＣＣは、認可無線周波数スペクトル帯域内の２つのＣＣ（各ＣＣが２０ＭＨｚの帯域幅を使用し、合計４０ＭＨｚの認可帯域幅）と、無認可無線周波数スペクトル内の８つのＣＣ（各ＣＣが２０ＭＨｚの帯域幅を使用し、合計１６０ＭＨｚの無認可帯域幅）とを含む場合がある。
【００４５】
[0060]いくつかの例では、マルチキャリア構成を使用して６つ以上のＣＣが実装される場合がある。たとえば、基地局１０５およびＵＥ１１５は、６つ以上の２０ＭＨｚのＣＣを使用して、キャリアアグリゲーション実装内で通信することができ得る。追加または代替として、１つまたは複数の基地局１０５およびＵＥ１１５は、ＣＣの２つのグループ（たとえば、ＰＣＧおよびＳＣＧによる二重接続）を利用することによって、６つ以上の２０ＭＨｚのＣＣを使用することができ得る。いくつかの例では、１つまたは複数の基地局１０５およびＵＥ１１５は、６つ以上の２０ＭＨｚのＣＣを使用することができ、ここで、ＣＣのうちの少なくとも１つは、２０ＭＨｚよりも大きい帯域幅を有する。２０ＭＨｚよりも大きい帯域幅を有するＣＣは、１次キャリアと少なくとも１つのキャリアセグメントとを利用することができ得る。場合によっては、キャリアセグメントは、ＣＣの「拡張」によって利用されるか、またはＣＣの「拡張」として扱われる追加帯域幅であり得る。２０ＭＨｚのベースキャリアは、たとえば、２０ＭＨｚの追加セグメントを含む場合がある。２０ＭＨｚのベースキャリアは、２０ＭＨｚのセグメントと結合される場合があり、４０ＭＨｚの「ジャンボ」ＣＣをもたらす場合がある。「ジャンボ」ＣＣは、物理ダウンリンク共有チャネル（ＰＤＳＣＨ）と物理アップリンク共有チャネル（ＰＵＳＣＨ）のマッピングの観点から、１つのＣＣとして扱われ得る。そのような場合、ＤＬ制御またはＵＬ制御は、ベースキャリア内に存在し、キャリアセグメント内に存在しない場合がある。この構成では、最大２００ＭＨｚの帯域幅がアグリゲートされ得る。
【００４６】
[0061]制御チャネル構成とデータチャネル構成の様々な組合せを利用して、多数のＣＣまたは増大する帯域幅をサポートするための追加オプションは、図２Ａ、図２Ｂ、図３、および図４Ａ〜図４Ｃを参照して説明される。記載される技法の多くまたはすべては、組み合わせて利用され得る。
【００４７】
[0062]図２Ａは、本開示の様々な態様による、ＣＣのグループによってサービスされるＵＥ１１５−ａを有するワイヤレス通信システム２００−ａの一例を示す。ワイヤレス通信システム２００−ａは、図１のワイヤレス通信システム１００の様々な態様の一例であり得る。
【００４８】
[0063]いくつかの例では、ＵＥ１１５−ａは、ＣＣの第１のグループ２３５−ａおよびＣＣの第２のグループ２３５−ｂによってサービスされる場合がある。ＣＣの第１のグループ２３５−ａは、Ｍ個のダウンリンクＣＣ２３０−ａ〜２３０−ｍを含む場合があり、ここで、Ｍは少なくとも１である。ＣＣの第２のグループ２３５−ｂは、Ｘ個のダウンリンクＣＣ２３０−ｎ〜２３０−ｘを含む場合があり、ここで、Ｘは少なくとも１である。いくつかの例では、ＭとＸの合計は６つ以上の場合があり、結果として、ＵＥ１１５−ａは６つ以上のダウンリンクＣＣによってサービスされる。ＵＥ１１５−ａは、アップリンクＣＣ２２５を用いて構成される場合もある。アップリンクＣＣ２２５は、ＰＣｅｌｌのＣＣであり得る。いくつかの例では、アップリンクＣＣ２２５は、ＣＣの第１のグループ２３５−ａのアップリンクＣＣ、またはＣＣの第２のグループ２３５−ｂのアップリンクＣＣであり得る。
【００４９】
[0064]いくつかの例では、ＣＣの第１のグループ２３５−ａは、１次セル（ＰＣｅｌｌ）を有する１次セルグループ（ＰＣＧ）であり得る。ＰＣｅｌｌは、アップリンク１次ＣＣを含む場合がある。いくつかの例では、アップリンク１次ＣＣはアップリンクＣＣ２２５であり得る。ＣＣの第２のグループ２３５−ｂは、１つまたは複数の２次セル（ＳＣｅｌｌ）を有する２次セルグループ（ＳＣＧ）であり得る。ＣＣの第１のグループ２３５−ａ、ＣＣの第２のグループ２３５−ｂ、およびアップリンクＣＣ２２５は、認可無線周波数スペクトルまたは無認可無線周波数スペクトル内の１つまたは複数のキャリアを含む場合がある。いくつかの例では、ＣＣの第１のグループ２３５−ａ、ＣＣの第２のグループ２３５−ｂ、およびアップリンクＣＣ２２５は、同じ基地局１０５−ａによってサポートされる場合がある。
【００５０】
[0065]いくつかの例では、ＣＣの第１のグループ２３５−ａ、ＣＣの第２のグループ２３５−ｂ、およびアップリンクＣＣ２２５は、ＦＤＤキャリアを含む。他の例では、ＣＣの第１のグループ２３５−ａ、ＣＣの第２のグループ２３５−ｂ、およびアップリンクＣＣ２２５は、ＦＤＤキャリアとＴＤＤキャリアの両方を含む。１つまたは複数の物理アップリンク制御チャネル（ＰＵＣＣＨ）は、アップリンクＣＣ２２５上に構成され得る。場合によっては、ＰＵＣＣＨは、ＰＣｅｌｌ以外のキャリアまたはセル上に構成されない場合がある。したがって、マルチキャリア構成は、バンドリングを含む様々なＨＡＲＱ送信オプションを修正および活用することによって実現され得る。
【００５１】
[0066]アップリンクＣＣ２２５は、ＰＣｅｌｌのＦＤＤキャリアであり得る。ＰＵＣＣＨはＨＡＲＱフィードバックを提供することができ得る。いくつかの例では、ＰＵＣＣＨは、ＨＡＲＱフィードバック用の最大２０ビットを用いて構成される場合がある。２０ビットは最大１０個のダウンリンクＣＣをサポートすることができ得る。したがって、ＨＡＲＱフィードバックのバンドリングは必要ではない場合があり、標準のＰＵＣＣＨフォーマットが利用され得る。
【００５２】
[0067]場合によっては、ＨＡＲＱフィードバックは、使用するビットを少なくするためにバンドルされる場合がある。Ｎ個の合計ダウンリンクＣＣが与えられると、ＨＡＲＱフィードバック用のＡＣＫ／ＮＡＣＫビットの数は、ＣＣのうちのいくつかに空間バンドリングが利用される場合、２Ｎ以下に削減され得る。ＨＡＲＱフィードバック用のＡＣＫ／ＮＡＣＫビットの数は、すべてのＣＣに空間バンドリングが利用される場合、Ｎまで削減され得る。たとえば、マルチキャリア構成内の１０個のダウンリンクＣＣ（Ｎ＝１０）では、１０個のダウンリンクＣＣすべてに空間バンドリングが利用される場合、ＨＡＲＱフィードバック用のビットはわずか１０ビットであり得る。いくつかの例では、ＨＡＲＱフィードバックのバンドリングはＣＣ領域内であり得、たとえば、いくつかのＣＣにフィードバックを提供するために単一のＡＣＫ／ＮＡＣＫが利用され得る。しかしながら、ＰＵＣＣＨフォーマットが並列ＰＵＣＣＨ送信をサポートするように修正される場合、ＨＡＲＱフィードバックのバンドリングは必要ではない場合がある。
【００５３】
[0068]いくつかの例では、アップリンクＣＣ２２５は、ＰＣｅｌｌのＴＤＤキャリアであり得る。ＰＣｅｌｌがＴＤＤであるとき、ＵＥ用にアグリゲートされ得るダウンリンクＣＣの数は制限される場合がある。Ｎ個のＣＣ、およびダウンリンク（ＤＬ）関連セットサイズＹ（たとえば、ＤＬのＨＡＲＱタイミングの観点から１つのアップリンクサブフレームに関連付けられたＹ個のＤＬサブフレーム）が与えられると、空間バンドリング後に必要なＨＡＲＱフィードバック用のビット数（たとえば、ＣＣ当たりサブフレーム当たり１ビット）は、Ｎ＊Ｙであり得る。たとえば、Ｎ＝１０およびＹ＝４である場合、ＨＡＲＱフィードバックに４０ビットが必要であり得る。従来のＰＵＣＣＨフォーマットは、２０を超えるビットをサポートすることができない。したがって、ＴＤＤのＰＣｅｌｌを有する従来のＰＵＣＣＨフォーマットを用いてサポートされ得るＣＣの数は、２０／Ｙによって制限される場合がある。たとえば、Ｙ＝２の場合、最大Ｎ＝１０のＣＣがサポートされ得、Ｙ＝３の場合、最大６つのＣＣがサポートされ得、Ｙ＝４の場合、最大５つのＣＣがサポートされ得、Ｙ＝９の場合、最大２つのＣＣがサポートされ得る。
【００５４】
[0069]場合によっては、しかしながら、ＨＡＲＱフィードバックの追加バンドリングは、ＰＵＣＣＨフォーマットを修正することなく利用され得る。たとえば、空間バンドリングに加えて、ＣＣ領域バンドリングまたは時間領域バンドリングが利用され得る。しかしながら、Ｙ＝２の場合、追加バンドリング−超空間バンドリング−は、任意のＮ＜＝１０に対して必要ではない場合がある。Ｙ＝３の場合、追加バンドリング−超空間バンドリング−は、任意のＮ＜＝６に対して必要ではない場合がある。しかし、Ｙ＞６の場合、空間バンドリングおよび時間領域バンドリングが利用され得る。たとえば、時間領域バンドリングは、Ｙ＝３のサブフレームのセット内の２番目および３番目のサブフレームに対して実行され得る。時間領域バンドリングは、サブフレームのセットに依存する場合もある。
【００５５】
[0070]ＴＤＤのＰＣｅｌｌを有するいくつかの例では、ＰＵＣＣＨフォーマットは、さらなるＣＣをサポートするように修正される場合がある。追加または代替として、さらなるＣＣをサポートするために、２つ以上の並列ＰＵＣＣＨが送信される場合がある。場合によっては、修正されたＰＵＣＣＨフォーマットまたは並列ＰＵＣＣＨの使用は、ＮまたはＹに依存する場合がある。Ｙ＝２およびＮ＜＝１０の場合、修正されたＰＵＣＣＨフォーマットまたは並列ＰＵＣＣＨの送信は、必要ではない場合がある。Ｙ＝３およびＮ＜＝６の場合、修正されたＰＵＣＣＨフォーマットまたは並列ＰＵＣＣＨの送信も、必要ではない場合がある。一方、Ｙ＝３およびＮ＞６の場合、修正されたＰＵＣＣＨフォーマットまたは並列ＰＵＣＣＨの送信は、さらなるＣＣをサポートするために利用される場合がある。Ｙ＝４およびＮ＜＝５の場合、修正されたＰＵＣＣＨフォーマットまたは並列ＰＵＣＣＨの送信は、必要ではない場合がある。一方、Ｙ＝４およびＮ＞５の場合、修正されたＰＵＣＣＨフォーマットまたは並列ＰＵＣＣＨの送信は、さらなるＣＣをサポートするために利用される場合がある。Ｙ＝９およびＮ＜＝２の場合、修正されたＰＵＣＣＨフォーマットまたは並列ＰＵＣＣＨの送信は、必要ではない場合がある。一方、Ｙ＝９およびＮ＝３または４の場合、修正されたＰＵＣＣＨフォーマットまたは並列ＰＵＣＣＨの送信は、さらなるＣＣをサポートするために利用される場合がある。Ｙ＝９およびＮ＞４の場合のサポートは、従来のＬＴＥでは利用可能ではない場合がある。
【００５６】
[0071]いくつかの例では、修正されたＰＵＣＣＨフォーマットまたは並列ＰＵＣＣＨの送信は、ＨＡＲＱフィードバックの追加バンドリングに利用される場合もある。ＨＡＲＱフィードバックの追加バンドリングは、上述されたように、ＮまたはＹに依存する場合がある。
【００５７】
[0072]図２Ａに戻ると、アップリンクＣＣ２２５は、２つ以上の並列ＰＵＣＣＨを用いて構成され得る。たとえば、アップリンクＣＣ２２５は、第１のＰＵＣＣＨと第２のＰＵＣＣＨとを用いて構成され得る。第１のＰＵＣＣＨは、ＣＣの第１のグループ２３５−ａのダウンリンクＣＣ２３０−ａ〜２３０−ｍに関連付けられ得る。第２のＰＵＣＣＨは、ＣＣの第２のグループ２３５−ｂのダウンリンクＣＣ２３０−ｎ〜２３０−ｘに関連付けられ得る。第１のＰＵＣＣＨおよび第２のＰＵＣＣＨにより、ＵＥ１１５−ａが基地局１０５−ａから６つ以上のダウンリンクＣＣを利用することが可能になり得る。第１のＰＵＣＣＨおよび第２のＰＵＣＣＨは、アップリンクＣＣ２２５上で（時間または周波数のいずれかにおいて）並列に送信され得る。
【００５８】
[0073]図２Ｂは、本開示の様々な態様による、ＣＣのグループによってサービスされるＵＥ１１５−ｂを有するワイヤレス通信システム２００−ｂの別の例を示す。ワイヤレス通信システム２００−ｂは、図１のワイヤレス通信システム１００の様々な態様の一例であり得る。いくつかの例では、ＵＥ１１５−ｂは、ＣＣの第１のグループ２３５−ａおよびＣＣの第２のグループ２３５−ｂによってサービスされる場合がある。ＣＣの第１のグループ２３５−ａは、Ｍ個のダウンリンクＣＣ２３０−ａ〜２３０−ｍを含む場合があり、ここで、Ｍは少なくとも１である。ＣＣの第２のグループ２３５−ｂは、Ｘ個のダウンリンクＣＣ２３０−ｎ〜２３０−ｘを含む場合があり、ここで、Ｘは少なくとも１である。いくつかの例では、ＭとＸの合計は６つ以上の場合があり、結果として、ＵＥ１１５−ｂは６つ以上のダウンリンクＣＣによってサービスされる。ＵＥ１１５−ｂは、第１のアップリンクＣＣ２２５−ａと第２のアップリンクＣＣ２２５−ｂとを用いて構成される場合もある。いくつかの例では、第１のアップリンクＣＣ２２５−ａは、ＣＣの第１のグループ２３５−ａのアップリンクＣＣであり得る。第２のアップリンクＣＣ２２５−ｂは、ＣＣの第２のグループ２３５−ｂのアップリンクＣＣであり得る。
【００５９】
[0074]いくつかの例では、ＣＣの第１のグループ２３５−ａは、１次セル（ＰＣｅｌｌ）を有する１次セルグループ（ＰＣＧ）であり得る。ＰＣｅｌｌは、アップリンク１次ＣＣを含む場合がある。いくつかの例では、アップリンク１次ＣＣは第１のアップリンクＣＣ２２５−ａであり得る。ＣＣの第２のグループ２３５−ｂは、１つまたは複数の２次セル（ＳＣｅｌｌ）を有する２次セルグループ（ＳＣＧ）であり得る。ＳＣＧはＰＵＣＣＨ−ＳＣｅｌｌを含む場合がある。いくつかの例では、ＰＵＣＣＨ−ＳＣｅｌｌは第２のアップリンクＣＣ２２５−ｂを含む場合がある。ＣＣの第１のグループ２３５−ａ、ＣＣの第２のグループ２３５−ｂ、第１のアップリンクＣＣ２２５−ａ、および第２のアップリンクＣＣ２２５−ｂは、認可無線周波数スペクトルまたは無認可無線周波数スペクトル内の１つまたは複数のキャリアを含む場合がある。いくつかの例では、ＣＣの第１のグループ２３５−ａ、ＣＣの第２のグループ２３５−ｂ、第１のアップリンクＣＣ２２５−ａ、および第２のアップリンクＣＣ２２５−ｂは、同じ基地局１０５−ｂによってサポートされる場合がある。
【００６０】
[0075]いくつかの例では、ＣＣの第１のグループ２３５−ａ、ＣＣの第２のグループ２３５−ｂ、第１のアップリンクＣＣ２２５−ａ、および第２のアップリンクＣＣ２２５−ｂは、ＦＤＤキャリアを含む。他の例では、ＣＣの第１のグループ２３５−ａ、ＣＣの第２のグループ２３５−ｂ、第１のアップリンクＣＣ２２５−ａ、および第２のアップリンクＣＣ２２５−ｂは、ＦＤＤキャリアとＴＤＤキャリアの両方を含む場合がある。１つまたは複数の物理アップリンク制御チャネル（ＰＵＣＣＨ）は、第１のアップリンクＣＣ２２５−ａ、第２のアップリンクＣＣ２２５−ｂ、または第１のアップリンクＣＣ２２５−ａと第２のアップリンクＣＣ２２５−ｂの両方に構成され得る。
【００６１】
[0076]いくつかの例では、第１のアップリンクＣＣ２２５−ａは、第１のＰＵＣＣＨを用いて構成され得る。第１のＰＵＣＣＨは、ＣＣの第１のグループ２３５−ａのダウンリンクＣＣ２３０−ａ〜２３０−ｍに関連付けられ得る。第２のアップリンクＣＣ２２５−ｂは、第２のＰＵＣＣＨを用いて構成され得る。第２のＰＵＣＣＨは、ＣＣの第２のグループ２３５−ｂのダウンリンクＣＣ２３０−ｎ〜２３０−ｘに関連付けられ得る。第１のＰＵＣＣＨおよび第２のＰＵＣＣＨにより、ＵＥ１１５−ｂが基地局１０５−ａから６つ以上のダウンリンクＣＣを利用することが可能になり得る。
【００６２】
[0077]図３は、本開示の様々な態様による、ＣＣのグループによってサービスされるＵＥ１１５−ｃを有するワイヤレス通信システム３００の別の例を示す。ワイヤレス通信システム３００は、図１のワイヤレス通信システム１００の様々な態様の一例であり得る。いくつかの例では、ＵＥ１１５−ｃは、第１の基地局１０５−ｃに関連付けられたＣＣの第１のグループ３３５−ａによってサービスされる場合がある。ＵＥ１１５−ｃは、第２の基地局１０５−ｄに関連付けられたＣＣの第２のグループ３３５−ｂによってサービスされる場合もある。第１の基地局１０５−ｃおよび第２の基地局１０５−ｄは、バックホールリンク１３４−ａによって接続され得る。二重接続シナリオでは、バックホールリンク１３４−ａは、非理想であるか、または存在しない場合がある。たとえば、バックホールリンク１３４−ａは、基地局１０５−ｃと１０５−ｄとの間の通信に遅延を被らせる場合があり、それにより、基地局１０５−ｃと１０５−ｄとの間の通信の有効性が制限される場合がある。
【００６３】
[0078]ＣＣの第１のグループ３３５−ａは、Ｍ個のダウンリンクＣＣ３３０−ａ〜３３０−ｍを含む場合があり、ここで、Ｍは少なくとも１である。ＣＣの第２のグループ３３５−ｂは、Ｘ個のダウンリンクＣＣ３３０−ｎ〜３３０−ｘを含む場合があり、ここで、Ｘは少なくとも１である。いくつかの例では、ＭとＸの合計は６つ以上の場合があり、結果として、ＵＥ１１５−ｃは６つ以上のダウンリンクＣＣによってサービスされる。ＵＥ１１５−ｃは、第１のアップリンクＣＣ３２５−ａおよび第２のアップリンクＣＣ３２５−ｂを用いて構成される場合もある。いくつかの例では、第１のアップリンクＣＣ３２５−ａは、ＣＣの第１のグループ３３５−ａのアップリンクＣＣであり得る。第１のアップリンクＣＣ３２５−ａは、第１の基地局１０５−ｃに関連付けられる場合がある。第２のアップリンクＣＣ３２５−ｂは、ＣＣの第２のグループ３３５−ｂのアップリンクＣＣであり得、第２のアップリンクＣＣ３２５−ｂは、第２の基地局１０５−ｄに関連付けられる場合がある。
【００６４】
[0079]いくつかの例では、ＣＣの第１のグループ３３５−ａは、１次セル（ＰＣｅｌｌ）を有する１次セルグループ（ＰＣＧ）であり得る。ＰＣｅｌｌは、アップリンク１次ＣＣを含む場合がある。いくつかの例では、アップリンク１次ＣＣは第１のアップリンクＣＣ３２５−ａであり得る。ＣＣの第２のグループ３３５−ｂは、１つまたは複数の２次セル（ＳＣｅｌｌ）を有する２次セルグループ（ＳＣＧ）であり得る。ＳＣＧは、アップリンク２次ＣＣを有するＰＵＣＣＨ−ＳＣｅｌｌを含む場合もある。いくつかの例では、ＰＵＣＣＨ−ＳＣｅｌｌのアップリンク２次ＣＣは、第２のアップリンクＣＣ３２５−ｂであり得る。ＣＣの第１のグループ３３５−ａ、ＣＣの第２のグループ３３５−ｂ、第１のアップリンクＣＣ３２５−ａ、および第２のアップリンクＣＣ３２５−ｂは、認可無線周波数スペクトルまたは無認可無線周波数スペクトル内の１つまたは複数のキャリアを含む場合がある。
【００６５】
[0080]いくつかの例では、ＣＣの第１のグループ３３５−ａ、ＣＣの第２のグループ３３５−ｂ、第１のアップリンクＣＣ３２５−ａ、および第２のアップリンクＣＣ３２５−ｂは、ＦＤＤキャリアを含む場合がある。他の例では、ＣＣの第１のグループ３３５−ａ、ＣＣの第２のグループ３３５−ｂ、第１のアップリンクＣＣ３２５−ａ、および第２のアップリンクＣＣ３２５−ｂは、ＦＤＤキャリアとＴＤＤキャリアの両方を含む場合がある。１つまたは複数の物理アップリンク制御チャネル（ＰＵＣＣＨ）は、第１のアップリンクＣＣ３２５−ａ、第２のアップリンクＣＣ３２５−ｂ、または第１のアップリンクＣＣ３２５−ａと第２のアップリンクＣＣ３２５−ｂの両方に構成され得る。
【００６６】
[0081]いくつかの例では、第１のアップリンクＣＣ３２５−ａは、第１のＰＵＣＣＨを用いて構成され得る。第１のＰＵＣＣＨは、ＣＣの第１のグループ３３５−ａのダウンリンクＣＣ３３０−ａ〜３３０−ｍに関連付けられ得る。第２のアップリンクＣＣ３２５−ｂは、第２のＰＵＣＣＨを用いて構成され得る。第２のＰＵＣＣＨは、ＣＣの第２のグループ３３５−ｂのダウンリンクＣＣ３３０−ｎ〜３３０−ｘに関連付けられ得る。第１のＰＵＣＣＨおよび第２のＰＵＣＣＨにより、ＵＥ１１５−ｃが第１の基地局１０５−ｃおよび第２の基地局１０５−ｄから６つ以上のダウンリンクＣＣを利用することが可能になり得る。たとえば、各アップリンクＣＣ３２５は、上記で説明された様々なＨＡＲＱバンドリング技法のうちの１つまたは複数を利用することができ得、その結果、各ＰＵＣＣＨは、６つ以上のＣＣにフィードバックを提供することができ得る。
【００６７】
[0082]図４Ａは、本開示の様々な態様による、ワイヤレス通信システム４００−ａ内のＣＣの一例を示す。ワイヤレス通信システム４００−ａは、図１および図２Ａのワイヤレス通信システム１００または２００−ａの様々な態様の一例であり得る。アップリンクＣＣ４２５は、ＰＵＣＣＨを用いて構成され得る。ＰＵＣＣＨは、ＣＣの複数のグループに関連付けられ得る。ＰＵＣＣＨは、したがって、ＣＣの複数のグループに、ＨＡＲＱフィードバックを含むフィードバックを提供することができ得る。ＣＣの第１のグループ４３５−ａは、Ｍ個のダウンリンクＣＣ４３０−ａ〜４３０−ｍを含む場合があり、ここで、Ｍは少なくとも１である。ＣＣの第２のグループ４３５−ｂは、Ｘ個のダウンリンクＣＣ４３０−ｎ〜４３０−ｘを含む場合があり、ここで、Ｘは少なくとも１である。いくつかの例では、ＭとＸの合計は６つ以上の場合があり、結果として、アップリンクＣＣ４２５のＰＵＣＣＨは６つ以上のダウンリンクＣＣに関連付けられる。
【００６８】
[0083]図４Ｂは、本開示の様々な態様による、ワイヤレス通信システム４００−ｂ内のＣＣの別の例を示す。ワイヤレス通信システム４００−ｂは、図１および図２Ａのワイヤレス通信システム１００または２００−ａの様々な態様の一例であり得る。アップリンクＣＣ４２５は、２つの並列ＰＵＣＣＨを用いて構成され得る。並列ＰＵＣＣＨは、時間または周波数において並列であり得る。ＰＵＣＣＨは、したがって、共通アップリンクＣＣ４２５上であり得る。アップリンクＣＣ４２５の第１のＰＵＣＣＨは、ＣＣの第１のグループ４３５−ａに関連付けられ得る。ＣＣの第１のグループ４３５−ａは、Ｍ個のダウンリンクＣＣ４３０−ａ〜４３０−ｍを含む場合があり、ここで、Ｍは少なくとも１である。アップリンクＣＣ４２５の第２のＰＵＣＣＨは、ＣＣの第２のグループ４３５−ｂに関連付けられ得る。ＣＣの第２のグループ４３５−ｂは、Ｘ個のダウンリンクＣＣ４３０−ｎ〜４３０−ｘを含む場合があり、ここで、Ｘは少なくとも１である。いくつかの例では、ＭとＸの合計は６つ以上の場合があり、結果として、アップリンクＣＣ４２５の２つの並列ＰＵＣＣＨは６つ以上のダウンリンクＣＣに関連付けられる。
【００６９】
[0084]図４Ｃは、本開示の様々な態様による、ワイヤレス通信システム４００−ｃ内のＣＣの別の例を示す。ワイヤレス通信システム４００−ｃは、図１、図２Ｂ、および図３のワイヤレス通信システム１００、２００−ｂ、または３００の様々な態様の一例であり得る。第１のアップリンクＣＣ４２５−ａは、第１のＰＵＣＣＨを用いて構成され得る。第２のアップリンクＣＣ４２５−ｂは、第２のＰＵＣＣＨを用いて構成され得る。いくつかの例では、第１のアップリンクＣＣ４２５−ａおよび第２のアップリンクＣＣ４２５−ｂは、２つ以上の並列ＰＵＣＣＨを用いて構成される場合がある。並列ＰＵＣＣＨは、時間または周波数において並列であり得る。第１のアップリンクＣＣ４２５−ａの第１のＰＵＣＣＨは、ＣＣの第１のグループ４３５−ａに関連付けられ得る。第１のアップリンクＣＣ４２５−ａの第１のＰＵＣＣＨは、したがって、ＣＣの第１のグループ４３５−ａにフィードバックを提供することができ得る。ＣＣの第１のグループ４３５−ａは、Ｍ個のダウンリンクＣＣ４３０−ａ〜４３０−ｍを含む場合があり、ここで、Ｍは少なくとも１である。第２のアップリンクＣＣ４２５−ｂの第２のＰＵＣＣＨは、ＣＣの第２のグループ４３５−ｂに関連付けられ得る。第２のアップリンクＣＣ４２５−ｂの第２のＰＵＣＣＨは、したがって、ＣＣの第２のグループ４３５−ｂにフィードバックを提供することができ得る。ＣＣの第２のグループ４３５−ｂは、Ｘ個のダウンリンクＣＣ４３０−ｎ〜４３０−ｘを含む場合があり、ここで、Ｘは少なくとも１である。いくつかの例では、ＭとＸの合計は６つ以上の場合があり、結果として、２つのＰＵＣＣＨは６つ以上のダウンリンクＣＣに関連付けられる。
【００７０】
[0085]図２Ｂ、図３、および図４Ｃに示されたように、２つのアップリンクＣＣは、ＰＵＣＣＨを用いて構成される場合がある。いくつかの例では、これは、二重接続または二重ＰＵＣＣＨキャリアアグリゲーションと呼ばれる場合がある。２つのアップリンクＣＣ上の２つのＰＵＣＣＨを使用することにより、１０個のダウンリンクＣＣは、ＰＵＣＣＨを修正することなく、ＵＥ用にアグリゲートされ得る。各ＰＵＣＣＨグループ（たとえば、ＰＣｅｌｌのＰＵＣＣＨおよびＳＣｅｌｌのＰＵＣＣＨ）は、キャリアアグリゲーション構成を使用して最大５つのダウンリンクＣＣをサポートすることができ得る。しかしながら、ＰＵＣＣＨのうちの１つが６つ以上のダウンリンクＣＣをサポートする必要がある場合、ＰＵＣＣＨは上述されたように修正され得る。たとえば、８つのダウンリンクＣＣが１次ＰＵＣＣＨに関連付けられ得、２つのダウンリンクＣＣが２次ＰＵＣＣＨに関連付けられ得る。
【００７１】
[0086]いくつかの例では、同じアップリンクＣＣ上で並列ＰＵＣＣＨを可能にすることは、いくつかのＵＥが１つのアップリンクＣＣのみ可能であり得るので、または、そうすると少ない電力しか必要としない場合があるので、２つの異なるアップリンクＣＣ上で２つのＰＵＣＣＨを構成することよりも好ましい場合がある。たとえば、ＵＥ１１５（図１および図２）は、単一のアップリンクＣＣを用いて構成される場合があり、それにより、複数のアップリンクＣＣを構成することよりも少ない電力しか必要としない場合がある。単一のＣＣ上で複数のＰＵＣＣＨを構成することはまた、従来（たとえば、リリース１１以前）のＵＥ１１５をサポートするシステム内の即時実装を実現することができ得る。たとえば、第２のＰＵＣＣＨ用のリソースの決定は、第１のＰＵＣＣＨ用に決定されたリソースの関数であり得る。たとえば、第２のＰＵＣＣＨ用のリソースは、第１のＰＵＣＣＨのリソースの後の次のリソースであり得る。このようにして、２つのＰＵＣＣＨは、２つのリソースを占有する単一のＰＵＣＣＨとして同等に見られ得る。代替として、第１のＰＵＣＣＨリソースおよび第２のＰＵＣＣＨリソースは、グループごとに個別に決定される場合がある（たとえば、第１のＰＵＣＣＨリソースは、ＣＣの第１のグループに基づいて決定され、第２のＰＵＣＣＨリソースは、ＣＣの第２のグループに基づいて決定される）。いくつかの例では、ＵＥ１１５は、６つ以上のダウンリンクキャリアをサポートするか、または二重ＰＵＣＣＨ構成をサポートする能力を識別し、基地局１０５にその能力を指示することができ得る。たとえば、ＵＥ１１５は、ランダムアクセス要求の開始メッセージ内で、基地局１０５にその能力を指示することができ得る。または、ＵＥ１１５は、それが６つ以上のＣＣもしくは複数のＰＵＣＣＨまたは両方を用いてキャリアアグリゲーションをサポートする特定のカテゴリの能力であることを宣言するために、他のシグナリングを利用することができ得る。
【００７２】
[0087]場合によっては、２つのＰＵＣＣＨが同じアップリンクＣＣ上に位置するとき、２つのＰＵＣＣＨのために別個のコーディングおよびマッピングが実行される場合がある。代替として、ジョイントコーディングまたはジョイントマッピングが実行される場合がある。一例として、Ｋ１が第１のＰＵＣＣＨのペイロードサイズであり、Ｋ２が第２のＰＵＣＣＨのペイロードサイズであると仮定し、Ｑ１が第１のＰＵＣＣＨの利用可能なリソース要素の数であり、Ｑ２が第２のＰＵＣＣＨの利用可能なリソース要素の数であると仮定する。ジョイントコーディングは、Ｋ＝Ｋ１＋Ｋ２個のビットに対して実行され得る。コーディングされたビットは、他の必要な処理（たとえば、変調）の後、次いで、Ｑ＝Ｑ１＋Ｑ２個のリソースにマッピングされ得る。
【００７３】
[0088]場合によっては、２つのＰＵＣＣＨは、同じＰＵＣＣＨフォーマットを有する場合がある。代替として、異なるＰＵＣＣＨフォーマットが２つのＰＵＣＣＨによって構成される場合がある。ＰＵＣＣＨフォーマットは、ＰＵＣＣＨフォーマット１、１ａ、１ｂ、ＰＵＣＣＨフォーマット２、２ａ、２ｂ、またはＰＵＣＣＨフォーマット３を含む場合がある。２つのＰＵＣＣＨの各々によって使用されるＰＵＣＣＨフォーマットは、それぞれのＰＵＣＣＨ上で搬送されるアップリンク制御情報（ＵＣＩ）に依存する場合もある。
【００７４】
[0089]場合によっては、制御チャネルのハンドリングにより、さらなるＣＣがサポートされることが可能になり得る。ある特定の従来のワイヤレス通信システム（たとえば、ＬＴＥのより古いバージョンを実装するシステム）では、マルチキャリア構成において６つ以上のＣＣが使用されると、ＵＥ１１５（図１および図２）は、多数の制御チャネルを監視する必要があり得る。これにより、大きい制御オーバーヘッド、大きいＵＥ複雑度、および大きいバッテリ消費などの望ましくない結果がもたらされる場合がある。ジョイント制御または複数のサブフレーム制御により、ＵＥ１１５がマルチキャリア構成において６つ以上のＣＣをより効率的に使用することが可能になり得る。たとえば、ジョイント制御は、２つ以上のＣＣをスケジュールする１つの制御チャネルを要する場合がある。複数のサブフレーム制御は、２つ以上のサブフレームをスケジューリングする１つの制御チャネルを要する場合がある。
【００７５】
[0090]追加または代替として、クロスキャリアスケジューリングにクロスキャリアインジケータフィールド（ＣＩＦ）が使用される場合がある。いくつかの例では、ＣＩＦは、最大８つのＣＣをサポートすることができる得る、３ビットを含む場合がある。いくつかの例では、ＣＩＦは、９つ以上のＣＣをサポートすることができる得る、４ビットに増やされる場合がある。
【００７６】
[0091]他の制御チャネルおよびデータチャネルの設計方式も、多数のＣＣをサポートする助けになることができ得る。いくつかの例では、ＰＵＣＣＨ電力制御は、ＨＡＲＱフィードバック用のより大きいＡＣＫ／ＮＡＣＫペイロードサイズを反映するように調整される場合がある。いくつかの例では、ＨＡＲＱフィードバック用のＡＣＫ／ＮＡＣＫペイロードは、物理アップリンク共有チャネル（ＰＵＳＣＨ）上に構成される場合がある。ＡＣＫ／ＮＡＫを搬送するために単一のＰＵＳＣＨが使用される場合、第１のＰＵＣＣＨに関連付けられたＡＣＫ／ＮＡＫペイロードおよび第２のＰＵＣＣＨに関連付けられたＡＣＫ／ＮＡＫペイロードは、ＰＵＳＣＨ上で一緒にコーディングおよびマッピングされ得る。ＡＣＫ／ＮＡＫを搬送する２つのＰＵＳＣＨが存在する場合、ＰＵＣＣＨの各々のためのＡＣＫ／ＮＡＫペイロードは、個別にコーディングされ、ＰＵＳＣＨの１つにマッピングされ得る。ＰＵＳＣＨ上のジョイントＡＣＫ／ＮＡＫの場合、ＨＡＲＱフィードバック用のＡＣＫ／ＮＡＣＫペイロードは、より大きいオフセットサイズを使用するようにＰＵＳＣＨ上に構成され得る。
【００７７】
[0092]いくつかの例では、非周期的なチャネル状態情報（ＣＳＩ）のトリガリングは、１つのサブフレーム内で６つ以上のＣＣのためのＣＳＩフィードバックをトリガすることができ得る。非周期的なＣＳＩのトリガリングは、ＣＣのリソースの数に基づいて調整され得る。場合によっては、非周期的なＣＳＩがトリガされたときにアップリンクデータ（ＵＬ−ＳＣＨ）がＰＵＳＣＨ上に存在するか否かを決定するための条件は、ＵＥ用に構成されたＣＣの最大合計数に基づいて決定され得る。一例として、最大１０個のＣＣがサポートされる場合、変調およびコーディング方式（ＭＣＳ）インデックスが２９であり、非周期的なＣＳＩのトリガリングが設定され、割り当てられたリソースブロック（ＲＢ）の数が４０以下であるかのように、条件が定義され得る。別の例として、最大１０個のＣＣがサポートされる場合、ＭＣＳインデックスが２９であり、非周期的なＣＳＩのトリガリングが設定され、割り当てられたリソースブロック（ＲＢ）の数が２０以下であるかのように、条件が定義され得る。代替として、非周期的なＣＳＩがトリガされたときにアップリンクデータ（ＵＬ−ＳＣＨ）がＰＵＳＣＨ上に存在するか否かを決定するための条件は、非周期的なＣＳＩを搬送するために２つのＰＵＳＣＨが使用される場合、ＵＥ用のＰＵＣＣＨグループ内で構成されたＣＣの最大合計数に基づいて、ＰＵＳＣＨごとに個別に決定され得る。いくつかの例では、アップリンク制御情報（ＵＣＩ）の送信は、第１のＰＵＣＣＨおよび第２のＰＵＣＣＨ上でのＣＳＩ報告のスケジューリングに少なくとも部分的に基づいて、決定され得る。
【００７８】
[0093]図５は、本開示の様々な態様による、ワイヤレス通信において使用するための装置５０５のブロック図５００を示す。いくつかの例では、装置５０５は、図１、図２Ａ、図２Ｂ、または図３を参照して記載された１つまたは複数のＵＥ１１５の態様の一例であり得る。装置５０５はまた、プロセッサであり得る。装置５０５は、受信機モジュール５１０、コントローラモジュール５３０、または送信機モジュール５２０を含む場合がある。これらの構成要素の各々は互いと通信している場合がある。
【００７９】
[0094]受信機モジュール５１０は、認可無線周波数スペクトル帯域、たとえば、無線周波数スペクトル帯域が特定の用途のために特定のユーザ（たとえば、ＬＴＥ／ＬＴＥ−Ａユーザ）に認可されるので装置がアクセスを求めて競合しない無線周波数スペクトル帯域を介して送信を受信するように動作可能な無線周波数（ＲＦ）受信機を含む場合がある。また、受信機モジュール５１０は、無認可無線周波数スペクトル帯域、たとえば、無線周波数スペクトル帯域が利用可能なので装置がアクセスを求めて競合する必要があり得る無線周波数スペクトル帯域を介して送信を受信するように構成される場合がある。そのような無認可スペクトルは、無認可無線周波数スペクトル内でＷｉ−ＦｉまたはＬＴＥ／ＬＴＥ−Ａを利用する通信を含む場合がある。いくつかの例では、認可無線周波数スペクトル帯域または無認可無線周波数スペクトル帯域は、図１〜図４を参照して記載されたように、コンポーネントキャリアを含む場合がある。受信機モジュール５１０は、図１、図２Ａ、図２Ｂ、または図３を参照して記載されたワイヤレス通信システム１００、２００−ａ、２００−ｂ、または３００の１つまたは複数のＣＣなどの、ワイヤレス通信システムの１つまたは複数の通信リンクを介して、様々なタイプのデータ信号または制御信号を受信するために使用され得る。通信リンクは、認可無線周波数スペクトル帯域または無認可無線周波数スペクトル帯域を介して確立され得る。いくつかの例では、受信機モジュール５１０は、キャリアセグメントを含むダウンリンクＣＣを受信するように構成される場合がある。
【００８０】
[0095]送信機モジュール５２０は、認可無線周波数スペクトル帯域または無認可無線周波数スペクトル帯域を介して送信するように動作可能なＲＦ送信機を含む場合がある。送信機モジュール５２０は、図１、図２Ａ、図２Ｂ、または図３を参照して記載されたワイヤレス通信システム１００、２００−ａ、２００−ｂ、または３００の１つまたは複数のＣＣを含む、ワイヤレス通信システムの１つまたは複数の通信リンクを介して、様々なタイプのデータ信号または制御信号を送信するために使用され得る。通信リンクは、認可無線周波数スペクトル帯域または無認可無線周波数スペクトル帯域を介して確立され得る。
【００８１】
[0096]いくつかの例では、コントローラモジュール５３０は、６つ以上のダウンリンクコンポーネントキャリアまたは二重ＰＵＣＣＨ構成をサポートする装置５０５の能力を識別および／または指示するように構成される場合がある。コントローラモジュール５３０は、ＣＣの第１のグループとＣＣの第２のグループとを含むマルチキャリア構成を受信するように構成される場合がある。ＣＣの第１のグループおよびＣＣの第２のグループは、各々、１つまたは複数のダウンリンクＣＣを含む場合がある。ＣＣの第１のグループおよびＣＣの第２のグループは、各々、時分割二重（ＴＤＤ）キャリア、周波数分割二重（ＦＤＤ）キャリア、またはＴＤＤキャリアとＦＤＤキャリアの組合せを含む場合がある。
【００８２】
[0097]いくつかの例では、コントローラモジュール５３０は、ＣＣの第１のグループの少なくとも１つのダウンリンクＣＣに関連付けられた第１の物理アップリンク制御チャネル（ＰＵＣＣＨ）を生成するように構成される場合がある。コントローラモジュール５３０は、ＣＣの第２のグループの少なくとも１つのダウンリンクＣＣに関連付けられた第２のＰＵＣＣＨを生成するように構成される場合もある。たとえば、コントローラモジュール５３０は、アップリンク制御情報を生成して、それぞれのＰＵＣＣＨ上で送信することができ得る。コントローラモジュール５３０は、したがって、装置５０５に、同じまたは異なるＣＣ上に構成され得る、第１のＰＵＣＣＨ、第２のＰＵＣＣＨ、または第１のＰＵＣＣＨと第２のＰＵＣＣＨの組合せを送信させるように構成される場合もある。
【００８３】
[0098]図６は、本開示の様々な態様による、ワイヤレス通信において使用するための装置６０５のブロック図６００を示す。装置６０５は、図１、図２Ａ、図２Ｂ、もしくは図３を参照して記載されたＵＥ１１５のうちの１つもしくは複数の態様の一例、または図５を参照して記載された装置５０５の態様の一例であり得る。装置６０５はまた、プロセッサであり得る。装置６０５は、受信機モジュール６１０、コントローラモジュール６３０、または送信機モジュール６２０を含む場合がある。これらの構成要素の各々は互いと通信している場合がある。
【００８４】
[0099]いくつかの例では、受信機モジュール６１０は、図５を参照して記載された受信機モジュール５１０の一例であり得る。受信機モジュール６１０は、場合によっては、それぞれ、認可無線周波数スペクトル帯域および無認可無線周波数スペクトル帯域を介して通信を受信するための、認可スペクトルモジュール６１２と無認可スペクトルモジュール６１４とを含む場合がある。受信機モジュール６１０は、各々、１つまたはいくつかのダウンリンクコンポーネントキャリアを含む場合がある、コンポーネントキャリアの第１のグループとコンポーネントキャリアの第２のグループとを含む場合がある、マルチキャリア構成を受信するように構成される場合がある。
【００８５】
[0100]いくつかの例では、送信機モジュール６２０は、図５を参照して記載された送信機モジュール５２０の１つまたは複数の態様の一例であり得る。送信機モジュール６２０は、それぞれ、認可無線周波数スペクトル帯域または無認可無線周波数スペクトル帯域を介して送信するように動作可能な、認可スペクトルモジュール６２２と無認可スペクトルモジュール６２４とを含む場合がある。
【００８６】
[0101]いくつかの例では、コントローラモジュール６３０は、図５を参照して記載されたコントローラモジュール５３０の１つまたは複数の態様の一例であり得る。コントローラモジュール６３０は、第１のＰＵＣＣＨモジュール６３５と、第２のＰＵＣＣＨモジュール６４０と、コンポーネントキャリアモジュール６４５とを含む場合がある。いくつかの例では、コンポーネントキャリアモジュール６４５は、６つ以上のダウンリンクコンポーネントキャリアをサポートする装置６０５の能力を指示するように構成される場合がある。第１のＰＵＣＣＨモジュール６３５は、送信機モジュール６２０と連携して、ＣＣの第１のグループのダウンリンクＣＣに関連付けられた第１の物理アップリンク制御チャネル（ＰＵＣＣＨ）を送信するように構成される場合がある。また、第２のＰＵＣＣＨモジュール６４０は、送信機モジュール６２０と連携して、ＣＣの第２のグループのダウンリンクＣＣに関連付けられた第２のＰＵＣＣＨを送信するように構成される場合がある。いくつかの例では、第１のＰＵＣＣＨモジュール６３５は、ＣＣの第１のグループ内の情報に少なくとも部分的に基づいて、第１のＰＵＣＣＨ用のリソースを決定するように構成される場合がある。第２のＰＵＣＣＨモジュール６４０は、ＣＣの第２のグループ内の情報に少なくとも部分的に基づいて、第２のＰＵＣＣＨ用のリソースを決定するように構成される場合がある。
【００８７】
[0102]コンポーネントキャリアモジュール６４５は、次いで、装置６０５に第１のＰＵＣＣＨ、第２のＰＵＣＣＨ、または第１のＰＵＣＣＨと第２のＰＵＣＣＨの組合せを送信させるように構成される場合がある。いくつかの例では、コンポーネントキャリアモジュール６４５は、送信機モジュール６２０と連携して、共通アップリンクＣＣ上で第１のＰＵＣＣＨと第２のＰＵＣＣＨとを送信するように構成される場合がある。代替として、コンポーネントキャリアモジュール６４５は、第１のアップリンクＣＣ上で第１のＰＵＣＣＨが送信され、第２のアップリンクＣＣ上で第２のＰＵＣＣＨが送信されるように構成される場合がある。いくつかの例では、第１のアップリンクＣＣは１次セルグループに対応し、第２のアップリンクＣＣは２次セルグループに対応する。いくつかの例では、１次セルグループおよび２次セルグループは、単一の基地局に関連付けられる場合がある。代替として、１次セルグループは第１の基地局に関連付けられる場合があり、２次セルグループは第２の基地局に関連付けられる場合がある。第１の基地局および第２の基地局は、非理想バックホールリンクを介して通信している場合がある。
【００８８】
[0103]図７は、本開示の様々な態様による、ワイヤレス通信において使用するための装置７０５のブロック図７００を示す。いくつかの例では、装置７０５は、図１、図２Ａ、図２Ｂ、または図３を参照して記載された１つまたは複数のＵＥ１１５の態様の一例であり得る。装置７０５はまた、図５および図６を参照して記載された装置５０５または６０５の一例であり得る。装置７０５はまた、プロセッサであり得る。装置７０５は、受信機モジュール７１０、コントローラモジュール７３０、または送信機モジュール７２０を含む場合がある。これらの構成要素の各々は互いと通信している場合がある。
【００８９】
[0104]受信機モジュール７１０は、図５および図６を参照して記載された受信機モジュール５１０または６１０の１つまたは複数の態様の一例であり得、認可スペクトルモジュール７１２および無認可スペクトルモジュール７１４は、それぞれ、図６の認可スペクトルモジュール６１２および無認可スペクトルモジュール６１４の例であり得る。いくつかの例では、送信機モジュール７２０は、図５および図６を参照して記載された送信機モジュール５２０または６２０の一例であり、認可スペクトルモジュール７２２および無認可スペクトルモジュール７２４は、それぞれ、図６の認可スペクトルモジュール６２２および無認可スペクトルモジュール６２４の例であり得る。
【００９０】
[0105]いくつかの例では、コントローラモジュール７３０は、図５および図６を参照して記載されたコントローラモジュール５３０または６３０の一例である。コントローラモジュール７３０は、第１のＰＵＣＣＨモジュール７３５と、第２のＰＵＣＣＨモジュール７４０と、コンポーネントキャリアモジュール７４５と、ＨＡＲＱモジュール７５０とを含む場合がある。第１のＰＵＣＣＨモジュール７３５、第２のＰＵＣＣＨモジュール７４０、およびコンポーネントキャリアモジュール７４５は、それぞれ、図６を参照して記載された第１のＰＵＣＣＨモジュール６３５、第２のＰＵＣＣＨモジュール６４０、およびコンポーネントキャリアモジュール６４５の１つまたは複数の態様の例であり得る。
【００９１】
[0106]いくつかの例では、ＨＡＲＱモジュール７５０は、第１のＰＵＣＣＨ用の第１のＨＡＲＱペイロードサイズと、第２のＰＵＣＣＨ用の第２のＨＡＲＱペイロードサイズとを決定するように構成される。第１のＨＡＲＱペイロードサイズと第２のＨＡＲＱペイロードサイズの合計ＨＡＲＱペイロードサイズは、しきい値（たとえば、２０ビット）を超える場合がある。ＨＡＲＱモジュール７５０は、ＣＣの第１のグループのダウンリンクＣＣ用のＨＡＲＱペイロードサイズに基づいて、第１のＰＵＣＣＨ用の第１の電力制御値を決定するように構成され得る。また、ＨＡＲＱモジュール７５０は、ＣＣの第２のグループのダウンリンクＣＣ用のＨＡＲＱペイロードサイズに基づいて、第２のＰＵＣＣＨ用の第２の電力制御値を決定するように構成され得る。
【００９２】
[0107]図８は、本開示の様々な態様による、ワイヤレス通信において使用するための装置８０５のブロック図８００を示す。いくつかの例では、装置８０５は、図１、図２Ａ、図２Ｂ、または図３を参照して記載された１つまたは複数のＵＥ１１５の態様の一例であり得る。装置８０５はまた、図５〜図７を参照して記載された装置５０５、６０５、または７０５の一例であり得る。装置８０５はまた、プロセッサであり得る。装置８０５は、受信機モジュール８１０、コントローラモジュール８３０、または送信機モジュール８２０を含む場合がある。これらの構成要素の各々は互いと通信している場合がある。
【００９３】
[0108]いくつかの例では、受信機モジュール８１０は、図５、図６、および図７を参照して記載された受信機モジュール５１０、６１０、または７１０の１つまたは複数の態様の一例であり得、認可スペクトルモジュール８１２および無認可スペクトルモジュール８１４は、それぞれ、図６および図７の認可スペクトルモジュール６１２および７１２ならびに無認可スペクトルモジュール６１４および７１４の例であり得る。送信機モジュール８２０は、図５、図６、および図７を参照して記載された送信機モジュール５２０、６２０、または７２０の１つまたは複数の態様の一例であり得、認可スペクトルモジュール８２２および無認可スペクトルモジュール８２４は、それぞれ、図６および図７の認可スペクトルモジュール６２２および７２２ならびに無認可スペクトルモジュール６２４および７２４の例であり得る。
【００９４】
[0109]いくつかの例では、コントローラモジュール８３０は、図５、図６、および図７を参照して記載されたコントローラモジュール５３０、６３０、または７３０の１つまたは複数の態様の一例であり得る。コントローラモジュール８３０は、第１のＰＵＣＣＨモジュール８３５と、第２のＰＵＣＣＨモジュール８４０と、コンポーネントキャリアモジュール８４５と、ＨＡＲＱモジュール８５０と、ＰＵＳＣＨモジュール８５５とを含む場合がある。第１のＰＵＣＣＨモジュール８３５、第２のＰＵＣＣＨモジュール８４０、およびコンポーネントキャリアモジュール８４５は、それぞれ、図６を参照して記載された第１のＰＵＣＣＨモジュール６３５、第２のＰＵＣＣＨモジュール６４０、およびコンポーネントキャリアモジュール６４５、または、それぞれ、図７を参照して記載された第１のＰＵＣＣＨモジュール７３５、第２のＰＵＣＣＨモジュール７４０、およびコンポーネントキャリアモジュール７４５の１つまたは複数の態様の例であり得る。ＨＡＲＱモジュール８５０は、図７を参照して記載されたＨＡＲＱモジュール７５０の１つまたは複数の態様の一例であり得る。
【００９５】
[0110]いくつかの例では、ＰＵＳＣＨモジュール８５５は、第１のグループのダウンリンクＣＣ用のＨＡＲＱペイロードサイズ、第２のグループのダウンリンクＣＣ用のＨＡＲＱペイロードサイズ、または両方のグループのダウンリンクＣＣのＨＡＲＱペイロードサイズのうちの少なくとも１つに基づいて、ＰＵＳＣＨオフセットを調整するように構成される。ＨＡＲＱペイロードサイズは、ＨＡＲＱモジュール８５０によって決定され得る。いくつかの例では、ＰＵＳＣＨモジュール８５５は、ＣＣの第１のグループのＣＣの数、ＣＣの第２のグループのＣＣの数、またはＣＣの第１のグループと第２のグループの両方のＣＣの数に基づいて、非周期的なチャネル状態情報（ＣＳＩ）報告をトリガするように構成される。いくつかの例では、ＰＵＳＣＨモジュール８５５は、第１のＰＵＣＣＨおよび第２のＰＵＣＣＨ上でのＣＳＩ報告のスケジューリングに少なくとも部分的に基づいて、アップリンク制御情報（ＵＣＩ）の送信を生成するように構成される。
【００９６】
[0111]装置５０５、６０５、７０５、または８０５の各々の構成要素は、ハードウェアにおいて適用可能な機能の一部または全部を実行するように適応された１つまたは複数のＡＳＩＣを使用して、個別または集合的に実装され得る。代替として、機能は、１つまたは複数の集積回路上で、１つまたは複数の他の処理ユニット（またはコア）によって実行され得る。他の例では、他のタイプの集積回路（たとえば、構造化／プラットフォームＡＳＩＣ、ＦＰＧＡ、および他のセミカスタムＩＣ）が使用される場合があり、これは当技術分野において知られている任意の方式でプログラムされ得る。各ユニットの機能はまた、全体的にまたは部分的に、１つまたは複数の汎用プロセッサまたは特定用途向けプロセッサによって実行されるようにフォーマットされた、メモリ内に具現化された命令を用いて実装され得る。
【００９７】
[0112]図９は、本開示の様々な態様による、ワイヤレス通信において使用するためのＵＥ１１５−ｄを含むシステム９００のブロック図である。ＵＥ１１５−ｄは様々な構成を有する場合があり、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネットアプライアンス、ゲームコンソール、電子リーダーなどに含まれるか、またはその一部であり得る。ＵＥ１１５−ｄは、いくつかの例では、モバイル動作を容易にするために、小型バッテリなどの内部電源（図示せず）を有する場合がある。いくつかの例では、ＵＥ１１５−ｄは、図１、図２Ａ、図２Ｂ、もしくは図３を参照して記載されたＵＥ１１５の１つもしくは複数の態様、または図５、図６、図７、および図８を参照して記載された装置５０５、６０５、７０５、もしくは８０５の１つもしくは複数の態様の一例であり得る。ＵＥ１１５−ｄは、図１〜図８を参照して記載されたＵＥまたは装置の特徴および機能のうちの少なくともいくつかを実装するように構成される場合がある。
【００９８】
[0113]ＵＥ１１５−ｄは、ＵＥプロセッサモジュール９１０、ＵＥメモリモジュール９２０、ＵＥトランシーバモジュール９４０、ＵＥアンテナ９５５、またはＵＥコントローラモジュール９３０を含む場合がある。これらの構成要素の各々は、１つまたは複数のバス９３５を介して、直接的または間接的に互いと通信している場合がある。
【００９９】
[0114]ＵＥメモリモジュール９２０はＲＡＭまたはＲＯＭを含む場合がある。ＵＥメモリモジュール９２０は、実行されると、ワイヤレス通信に関する本明細書に記載された様々な機能をＵＥプロセッサモジュール９１０に実行させるように構成された命令を含む、コンピュータ可読、コンピュータ実行可能コード９２５（たとえば、ソフトウェアまたはファームウェア）を記憶することができ得る。代替として、コンピュータ実行可能コード９２５は、ＵＥプロセッサモジュール９１０によって直接実行可能ではない場合があるが、（たとえば、コンパイルされ実行されると）本明細書に記載された様々な機能をＵＥ１１５−ｄに実行させるように構成され得る。
【０１００】
[0115]ＵＥプロセッサモジュール９１０は、インテリジェントハードウェアデバイス、たとえば、ＣＰＵ、マイクロコントローラ、ＡＳＩＣなどを含む場合がある。ＵＥプロセッサモジュール９１０は、ＵＥトランシーバモジュール９４０を通して受信された情報、またはＵＥアンテナ９５５を通して送信用にＵＥトランシーバモジュール９４０に送られるべき情報を処理することができ得る。ＵＥプロセッサモジュール９１０は、単独またはＵＥコントローラモジュール９３０およびＵＥトランシーバモジュール９４０とともに、認可無線周波数スペクトル帯域または無認可無線周波数スペクトル帯域を介して通信する（または、それを介した通信を管理する）様々な態様を扱うことができ得る。
【０１０１】
[0116]ＵＥトランシーバモジュール９４０は、パケットを変調し、変調されたパケットを送信用にＵＥアンテナ９５５に供給し、ＵＥアンテナ９５５から受信されたパケットを復調するように構成されたモデムを含む場合がある。ＵＥトランシーバモジュール９４０は、いくつかの例では、１つまたは複数のＵＥ送信機モジュールおよび１つまたは複数の別個のＵＥ受信機モジュールとして実装される場合がある。ＵＥトランシーバモジュール９４０は、認可無線周波数スペクトル帯域または無認可無線周波数スペクトル帯域における通信をサポートすることができ得る。ＵＥトランシーバモジュール９４０は、図１、図２Ａ、図２Ｂ、または図３を参照して記載されたように、基地局１０５（たとえば、基地局１０５−ｅ）およびＵＥ１１５（たとえば、ＵＥ１１５−ｅ）のうちの１つまたは複数と、ＵＥアンテナ９５５を介して双方向に通信するように構成され得る。ＵＥ１１５−ｄは単一のＵＥアンテナを含む場合があるが、ＵＥ１１５−ｄが複数のＵＥアンテナ９５５を含む場合がある例があり得る。
【０１０２】
[0117]ＵＥコントローラモジュール９３０は、ワイヤレス通信に関する図１〜図８を参照して記載された特徴または機能（たとえば、６つ以上のコンポーネントキャリアと通信することに関する機能など）のうちのいくつかまたはすべてを実行または制御するように構成され得る。たとえば、ＵＥコントローラモジュール９３０は、認可無線周波数スペクトル帯域または無認可無線周波数スペクトル帯域を使用して、６つ以上のコンポーネントキャリアをサポートするように構成され得る。ＵＥトランシーバモジュール９４０は、認可無線周波数スペクトル帯域におけるＬＴＥ／ＬＴＥ−Ａ通信を扱うように構成されたＵＥ認可スペクトルモジュール９６５と、無認可無線周波数スペクトル帯域におけるＬＴＥ／ＬＴＥ−Ａ通信を扱うように構成されたＵＥ無認可スペクトルモジュール９７０とを含む場合がある。ＵＥコントローラモジュール９３０もしくはその部分はプロセッサを含む場合があるか、または、ＵＥコントローラモジュール９３０の機能のいくつかもしくはすべては、ＵＥプロセッサモジュール９１０によって、もしくはＵＥプロセッサモジュール９１０とともに実行される場合がある。いくつかの例では、ＵＥコントローラモジュール９３０は、図５、図６、図７、および図８を参照して記載されたコントローラモジュール５３０、６３０、７３０、または８３０の一例であり得る。
【０１０３】
[0118]図１０は、本開示の様々な態様による、ワイヤレス通信において使用するための基地局１０５−ｆ（たとえば、ｅＮＢの一部または全部を形成する基地局）を含むシステム１０００のブロック図を示す。いくつかの例では、基地局１０５−ｆは、図１、図２Ａ、図２Ｂ、または図３を参照して記載された基地局１０５のうちの１つまたは複数の態様の一例であり得る。いくつかの例では、基地局１０５−ｆは、図５、図６、図７、および図８を参照して記載されたように、装置５０５、６０５、７０５、または８０５のいくつかの機能を実装することができ得る。基地局１０５−ｆは、図１〜図８を参照して記載された基地局または装置の特徴および機能のうちの少なくともいくつかを実装するか、または容易にするように構成され得る。
【０１０４】
[0119]基地局１０５−ｆは、基地局プロセッサモジュール１０１０、基地局メモリモジュール１０２０、基地局トランシーバモジュール１０５０、基地局アンテナ１０５５、基地局通信モジュール１０６０、または基地局コントローラモジュール１０３０を含む場合がある。基地局１０５−ｆは、ネットワーク通信モジュール１０４０を含む場合もある。これらの構成要素の各々は、１つまたは複数のバス１０３５を介して、直接的または間接的に互いに通信している場合がある。
【０１０５】
[0120]基地局メモリモジュール１０２０は、ランダムアクセスメモリ（ＲＡＭ）または読取り専用メモリ（ＲＯＭ）を含む場合がある。基地局メモリモジュール１０２０は、実行されると、ワイヤレス通信に関する本明細書に記載された様々な機能（たとえば、６つ以上のコンポーネントキャリアを可能にすることに関する機能など）を基地局プロセッサモジュール１０１０に実行させるように構成された命令を含む、コンピュータ可読、コンピュータ実行可能コード１０２５（たとえば、ソフトウェアまたはファームウェア）を記憶することができ得る。代替として、コンピュータ実行可能コード１０２５は、基地局プロセッサモジュール１０１０によって直接実行可能ではない場合があるが、（たとえば、コンパイルされ実行されると）本明細書に記載された様々な機能を基地局１０５−ｆに実行させるように構成され得る。
【０１０６】
[0121]基地局プロセッサモジュール１０１０は、インテリジェントハードウェアデバイス、たとえば、中央処理装置（ＣＰＵ）、マイクロコントローラ、ＡＳＩＣなどを含む場合がある。基地局プロセッサモジュール１０１０は、基地局トランシーバモジュール１０５０またはネットワーク通信モジュール１０４０を通して受信された情報を処理することができ得る。基地局プロセッサモジュール１０１０はまた、アンテナ１０５５を通した送信用にトランシーバモジュール１０５０に、または、図１を参照して記載されたコアネットワーク１３０の１つまたは複数の態様の一例であり得る、コアネットワーク１０４５への送信用にネットワーク通信モジュール１０４０に送られるべき情報を処理することができ得る。基地局プロセッサモジュール１０１０は、単独または基地局コントローラモジュール１０３０および基地局トランシーバモジュール１０５０とともに、認可無線周波数スペクトル帯域または無認可無線周波数スペクトル帯域を含むワイヤレス通信媒体を介して通信する（または、それを介した通信を管理する）様々な態様を扱うことができ得る。いくつかの例では、基地局プロセッサモジュール１０１０は、６つ以上のダウンリンクＣＣをサポートする能力を識別することができ得、二重ＰＵＣＣＨ動作用のＣＣを構成することを含む場合がある、ＵＥ１１５用のＣＣを構成することができ得る。
【０１０７】
[0122]基地局トランシーバモジュール１０５０は、パケットを変調し、変調されたパケットを送信用に基地局アンテナ１０５５に供給し、基地局アンテナ１０５５から受信されたパケットを復調するように構成されたモデムを含む場合がある。基地局トランシーバモジュール１０５０は、いくつかの例では、１つまたは複数の基地局送信機モジュールおよび１つまたは複数の別個の基地局受信機モジュールとして実装される場合がある。基地局トランシーバモジュール１０５０は、認可無線周波数スペクトル帯域または無認可無線周波数スペクトル帯域における通信をサポートすることができ得る。基地局トランシーバモジュール１０５０は、図１、図２Ａ、図２Ｂ、もしくは図３を参照して記載されたＵＥ１１５の一例であり得るＵＥ１１５−ｆ、または図５、図６、図７、もしくは図８を参照して記載された装置５０５、６０５、７０５、もしくは８０５のうちの１つもしくは複数と、アンテナ１０５５を介して双方向に通信するように構成され得る。通信リンク１２５−ａは、本開示の様々な態様による、６つ以上のコンポーネントキャリアを含む場合がある。基地局１０５−ｆは、たとえば、複数の基地局アンテナ１０５５（たとえば、アンテナアレイ）を含む場合がある。基地局１０５−ｆは、ネットワーク通信モジュール１０４０を通してコアネットワーク１０４５と通信することができ得る。基地局１０５−ｆはまた、基地局通信モジュール１０６０を使用して、基地局１０５−ｍおよび１０５−ｎなどの他の基地局と通信することができ得る。
【０１０８】
[0123]基地局コントローラモジュール１０３０は、ワイヤレス通信に関する図１〜図８を参照して記載された特徴または機能（たとえば、ワイヤレス通信用の６つ以上のコンポーネントキャリアを可能にすることに関する機能など）のうちのいくつかまたはすべてを実行または制御するように構成され得る。いくつかの例では、基地局コントローラモジュール１０３０は、認可無線周波数スペクトル帯域または無認可無線周波数スペクトル帯域を使用して、６つ以上のコンポーネントキャリアをサポートするように構成される場合がある。基地局トランシーバモジュール１０５０は、認可無線周波数スペクトル帯域におけるＬＴＥ／ＬＴＥ−Ａ通信を扱うように構成された基地局認可スペクトルモジュール１０６５と、無認可無線周波数スペクトル帯域におけるＬＴＥ／ＬＴＥ−Ａ通信を扱うように構成された基地局無認可スペクトルモジュール１０７０とを含む場合がある。基地局コントローラモジュール１０３０またはその部分はプロセッサを含む場合があるか、または、基地局コントローラモジュール１０３０の機能のいくつかもしくはすべては、基地局プロセッサモジュール１０１０によって、または基地局プロセッサモジュール１０１０とともに実行される場合がある。いくつかの例では、基地局コントローラモジュール１０３０は、図５、図６、図７、および図８を参照して記載されたコントローラモジュール５３０、６３０、７３０、または８３０の一例であり得る。
【０１０９】
[0124]図１１は、本開示の様々な態様による、ワイヤレス通信のための方法１１００の一例を示すフローチャートである。明確にするために、方法１１００は、図１、図２Ａ、図２Ｂ、および図３を参照して記載された基地局１０５もしくはＵＥ１１５のうちの１つもしくは複数の態様、または、図５、図６、図７、および図８を参照して記載された装置５０５、６０５、７０５、もしくは８０５のうちの１つもしくは複数の態様を参照して、以下に記載される。いくつかの例では、基地局、ＵＥ、または装置は、以下に記載される機能を実施するように基地局、ＵＥ、または装置の機能要素を制御するために、コードの１つまたは複数のセットを実行することができ得る。
【０１１０】
[0125]ブロック１１０５において、方法１１００は、６つ以上のダウンリンクコンポーネントキャリアをサポートするか、または二重物理アップリンク制御チャネル（ＰＵＣＣＨ）構成をサポートする能力を識別および／または指示することを含む場合がある。ブロック１１１０において、方法１１００は、ダウンリンクコンポーネントキャリアの第１のグループとダウンリンクコンポーネントキャリアの第２のグループとを備える、６つ以上のダウンリンクコンポーネントキャリアのマルチキャリア構成を受信することを含む場合がある。ブロック１１１５において、方法１１００は、第１の物理アップリンク制御チャネル（ＰＵＣＣＨ）、第２のＰＵＣＣＨ、または第１のＰＵＣＣＨと第２のＰＵＣＣＨの組合せのうちの少なくとも１つを送信することを含む場合があり、第１のＰＵＣＣＨは第１のグループのダウンリンクコンポーネントキャリアに関連付けられ、第２のＰＵＣＣＨは第２のグループのダウンリンクコンポーネントキャリアに関連付けられる。方法１１００は一実装形態にすぎず、方法１１００の動作は、他の実装形態が可能であるように再構成されるか、または場合によっては修正され得ることに留意されたい。
【０１１１】
[0126]図１２は、本開示の様々な態様による、ワイヤレス通信のための方法１２００の一例を示すフローチャートである。明確にするために、方法１２００は、図１、図２Ａ、図２Ｂ、および図３を参照して記載された基地局１０５もしくはＵＥ１１５のうちの１つもしくは複数の態様、または、図５、図６、図７、および図８を参照して記載された装置５０５、６０５、７０５、もしくは８０５のうちの１つもしくは複数の態様を参照して、以下に記載される。いくつかの例では、基地局、ＵＥ、または装置は、以下に記載される機能を実施するように基地局、ＵＥ、または装置の機能要素を制御するために、コードの１つまたは複数のセットを実行することができ得る。
【０１１２】
[0127]ブロック１２０５において、方法１２００は、６つ以上のダウンリンクコンポーネントキャリアをサポートするか、または二重物理アップリンク制御チャネル（ＰＵＣＣＨ）構成をサポートする能力を識別および／または指示することを含む場合がある。ブロック１２１０において、方法１２００は、ダウンリンクコンポーネントキャリアの第１のグループとダウンリンクコンポーネントキャリアの第２のグループとを備える、６つ以上のダウンリンクコンポーネントキャリアのマルチキャリア構成を受信することを含む場合がある。ブロック１２１５において、方法１２００は、共通アップリンクコンポーネントキャリア上で第１の物理アップリンク制御チャネル（ＰＵＣＣＨ）と第２のＰＵＣＣＨとを構成することを含む場合があり、第１のＰＵＣＣＨは第１のグループのダウンリンクコンポーネントキャリアに関連付けられ、第２のＰＵＣＣＨは第２のグループのダウンリンクコンポーネントキャリアに関連付けられる。ブロック１２２０において、方法１２００は、共通アップリンクコンポーネントキャリア上で第１のＰＵＣＣＨと第２のＰＵＣＣＨとを送信することを含む場合がある。方法１２００は一実装形態にすぎず、方法１２００の動作は、他の実装形態が可能であるように再構成されるか、または場合によっては修正され得ることに留意されたい。
【０１１３】
[0128]図１３は、本開示の様々な態様による、ワイヤレス通信のための方法１３００の一例を示すフローチャートである。明確にするために、方法１３００は、図１、図２Ａ、図２Ｂ、および図３を参照して記載された基地局１０５もしくはＵＥ１１５のうちの１つもしくは複数の態様、または、図５、図６、図７、および図８を参照して記載された装置５０５、６０５、７０５、もしくは８０５のうちの１つもしくは複数の態様を参照して、以下に記載される。いくつかの例では、基地局、ＵＥ、または装置は、以下に記載される機能を実施するように基地局、ＵＥ、または装置の機能要素を制御するために、コードの１つまたは複数のセットを実行することができ得る。
【０１１４】
[0129]ブロック１３０５において、方法１３００は、６つ以上のダウンリンクコンポーネントキャリアをサポートするか、または二重物理アップリンク制御チャネル（ＰＵＣＣＨ）構成をサポートする能力を識別および／または指示することを含む場合がある。ブロック１３１０において、方法１３００は、ダウンリンクコンポーネントキャリアの第１のグループとダウンリンクコンポーネントキャリアの第２のグループとを備える、６つ以上のコンポーネントキャリアのマルチキャリア構成を受信することを含む場合がある。ブロック１３１５において、方法１３００は、第１のアップリンクコンポーネントキャリア上で第１の物理アップリンク制御チャネル（ＰＵＣＣＨ）を構成することを含む場合があり、第１のＰＵＣＣＨは第１のグループのコンポーネントキャリアに関連付けられる。ブロック１３２０において、方法１３００は、第２のアップリンクコンポーネントキャリア上で第２のＰＵＣＣＨを構成することを含む場合があり、第２のＰＵＣＣＨは第２のグループのダウンリンクコンポーネントキャリアに関連付けられる。ブロック１３２５において、方法１３００は、第１のアップリンクコンポーネントキャリア上で第１のＰＵＣＣＨを、第２のアップリンクコンポーネントキャリア上で第２のＰＵＣＣＨを送信することを含む場合がある。方法１３００は一実装形態にすぎず、方法１３００の動作は、他の実装形態が可能であるように再構成されるか、または場合によっては修正され得ることに留意されたい。
【０１１５】
[0130]添付の図面に関して上記された発明を実施するための形態は、例示的な実施形態を記載しており、実装され得るか、または特許請求の範囲内に入る唯一の実施形態を表すものではない。発明を実施するための形態は、記載された技法の理解をもたらすための具体的な詳細を含む。しかしながら、これらの技法は、これらの具体的な詳細なしに実践され得る。場合によっては、記載された例の概念を不明瞭にすることを回避するために、周知の構造およびデバイスがブロック図の形態で示される。
【０１１６】
[0131]情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１１７】
[0132]本明細書の開示に関して記載された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書に記載された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１１８】
[0133]本明細書に記載された機能は、ハードウェア、プロセッサによって実行されるソフトウェア、ファームウェア、またはそれらの任意の組合せに実装され得る。プロセッサによって実行されるソフトウェアに実装される場合、機能は、１つまたは複数の命令またはコードとして、コンピュータ可読媒体上に記憶されるか、またはコンピュータ可読媒体を介して送信され得る。他の例および実装形態が、本開示および添付の特許請求の範囲および趣旨内に入る。たとえば、ソフトウェアの本質に起因して、上述された機能は、プロセッサ、ハードウェア、ファームウェア、ハードワイヤリング、またはこれらのいずれかの組合せによって実行されるソフトウェアを使用して実装され得る。機能を実装する特徴はまた、異なる物理的位置において機能の部分が実装されるように分散されることを含めて、様々な位置に物理的に配置され得る。また、特許請求の範囲を含めて、本明細書で使用される場合、項目の列挙（たとえば、「のうちの少なくとも１つ」または「のうちの１つもしくは複数」などの句で終わる項目の列挙）内で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１１９】
[0134]コンピュータ可読媒体は、非一時的媒体を含めて、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得、汎用コンピュータもしくは専用コンピュータ、または汎用プロセッサもしくは専用プロセッサによってアクセスされ得る、任意の他の非一時的媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１２０】
[0135]本開示のこれまでの説明は、当業者が本開示を作成または使用することを可能にするように提供される。本開示への様々な修正が当業者には容易に明らかであり、本明細書において定義された一般原理は、本開示の趣旨または範囲から逸脱することなく、他の変形形態に適用され得る。本開示全体にわたって、「例」または「例示的」という用語は、例または事例を示すものであり、言及された例に対するいかなる選好も暗示せず、または必要としない。したがって、本開示は、本明細書に記載された例および設計に限定されるべきでなく、本明細書で開示される原理および新規の特徴に合致する最も広い範囲を与えられるべきである。
以下に、本願の出願当初の特許請求の範囲に記載された発明を付記する。
［Ｃ１］
６つ以上のダウンリンクコンポーネントキャリアをサポートするか、または二重物理アップリンク制御チャネル（ＰＵＣＣＨ）構成をサポートする能力を指示することと、
ダウンリンクコンポーネントキャリアの第１のグループとダウンリンクコンポーネントキャリアの第２のグループとを備える、６つ以上のダウンリンクコンポーネントキャリアのマルチキャリア構成を受信することと、
第１のＰＵＣＣＨまたは第２のＰＵＣＣＨのうちの少なくとも１つを送信することと、前記第１のＰＵＣＣＨが前記第１のグループのダウンリンクコンポーネントキャリアに関連付けられ、前記第２のＰＵＣＣＨが前記第２のグループのダウンリンクコンポーネントキャリアに関連付けられる
を備える、ワイヤレス通信のための方法。
［Ｃ２］
前記第１のＰＵＣＣＨ用の第１のハイブリッド自動再送要求（ＨＡＲＱ）ペイロードサイズと前記第２のＰＵＣＣＨ用の第２のＨＡＲＱペイロードサイズとを決定すること、前記第１のＨＡＲＱペイロードサイズおよび前記第２のＨＡＲＱペイロードサイズの合計ＨＡＲＱペイロードサイズがしきい値を超える
をさらに備える、Ｃ１に記載の方法。
［Ｃ３］
前記しきい値が２０ビットである、Ｃ２に記載の方法。
［Ｃ４］
前記第１のＰＵＣＣＨおよび前記第２のＰＵＣＣＨが、共通アップリンクコンポーネントキャリア上に構成される、Ｃ１に記載の方法。
［Ｃ５］
前記第２のＰＵＣＣＨ用のリソースが、前記第１のＰＵＣＣＨ用のリソースに少なくとも部分的に基づいて決定される、Ｃ４に記載の方法。
［Ｃ６］
前記第１のＰＵＣＣＨ用のリソースが、ダウンリンクコンポーネントキャリアの前記第１のグループ内の情報に少なくとも部分的に基づいて決定され、前記第２のＰＵＣＣＨ用のリソースが、ダウンリンクコンポーネントキャリアの前記第２のグループ内の情報に少なくとも部分的に基づいて決定される、Ｃ４に記載の方法。
［Ｃ７］
前記第１のＰＵＣＣＨが、前記マルチキャリア構成の第１のアップリンクコンポーネントキャリア上に構成され、前記第２のＰＵＣＣＨが、前記マルチキャリア構成の第２のアップリンクコンポーネントキャリア上に構成される、Ｃ１に記載の方法。
［Ｃ８］
前記第１のアップリンクコンポーネントキャリアが１次セルグループに対応し、前記第２のアップリンクコンポーネントキャリアが２次セルグループに対応する、Ｃ７に記載の方法。
［Ｃ９］
前記１次セルグループが第１の基地局に関連付けられ、前記２次セルグループが第２の基地局に関連付けられ、前記第１の基地局および前記第２の基地局が、非理想バックホールリンクを介して通信している、Ｃ８に記載の方法。
［Ｃ１０］
前記第１のグループの前記ダウンリンクコンポーネントキャリア用のハイブリッド自動再送要求（ＨＡＲＱ）ペイロードサイズに基づいて、前記第１のＰＵＣＣＨ用の第１の電力制御値を決定することと、
前記第２のグループの前記ダウンリンクコンポーネントキャリア用のＨＡＲＱペイロードサイズに基づいて、前記第２のＰＵＣＣＨ用の第２の電力制御値を決定することと
をさらに備える、Ｃ１に記載の方法。
［Ｃ１１］
前記第１のグループの前記ダウンリンクコンポーネントキャリア用のハイブリッド自動再送要求（ＨＡＲＱ）ペイロードサイズ、前記第２のグループの前記ダウンリンクコンポーネントキャリア用のＨＡＲＱペイロードサイズ、または、前記第１のグループの前記ダウンリンクコンポーネントキャリアと前記第２のグループの前記ダウンリンクコンポーネントキャリアの両方のＨＡＲＱペイロードサイズに基づいて、物理アップリンク共有チャネル（ＰＵＳＣＨ）オフセットを調整すること
をさらに備える、Ｃ１に記載の方法。
［Ｃ１２］
前記第１のグループのダウンリンクコンポーネントキャリアの数、前記第２のグループのダウンリンクコンポーネントキャリアの数、または前記第１のグループと前記第２のグループの両方のダウンリンクコンポーネントキャリアの数に少なくとも部分的に基づいて、非周期的なチャネル状態情報（ＣＳＩ）報告をトリガすること
をさらに備える、Ｃ１に記載の方法。
［Ｃ１３］
コンポーネントキャリアの前記第１のグループまたはコンポーネントキャリアの前記第２のグループのコンポーネントキャリアが、キャリアセグメントを含む、Ｃ１に記載の方法。
［Ｃ１４］
ダウンリンクコンポーネントキャリアの前記第１のグループおよびダウンリンクコンポーネントキャリアの前記第２のグループが、時分割二重（ＴＤＤ）キャリア、周波数分割二重（ＦＤＤ）キャリア、またはＴＤＤキャリアとＦＤＤキャリアの組合せを備える、Ｃ１に記載の方法。
［Ｃ１５］
前記第１のＰＵＣＣＨおよび前記第２のＰＵＣＣＨ上でスケジューリングされたチャネル状態情報（ＣＳＩ）報告に少なくとも部分的に基づいて、物理アップリンク共有チャネル（ＰＵＳＣＨ）上でアップリンク制御情報を送信すると決定すること
をさらに備える、Ｃ１に記載の方法。
［Ｃ１６］
６つ以上のダウンリンクコンポーネントキャリアをサポートするか、または二重物理アップリンク制御チャネル（ＰＵＣＣＨ）構成をサポートする能力を指示するための手段と、
ダウンリンクコンポーネントキャリアの第１のグループとダウンリンクコンポーネントキャリアの第２のグループとを備える、６つ以上のダウンリンクコンポーネントキャリアのマルチキャリア構成を受信するための手段と、
第１のＰＵＣＣＨまたは第２のＰＵＣＣＨのうちの少なくとも１つを送信するための手段と、前記第１のＰＵＣＣＨが前記第１のグループのダウンリンクコンポーネントキャリアに関連付けられ、前記第２のＰＵＣＣＨが前記第２のグループのダウンリンクコンポーネントキャリアに関連付けられる
を備える、ワイヤレス通信のための装置。
［Ｃ１７］
前記第１のＰＵＣＣＨ用の第１のハイブリッド自動再送要求（ＨＡＲＱ）ペイロードサイズと前記第２のＰＵＣＣＨ用の第２のＨＡＲＱペイロードサイズとを決定するための手段、前記第１のＨＡＲＱペイロードサイズおよび前記第２のＨＡＲＱペイロードサイズの合計ＨＡＲＱペイロードサイズがしきい値を超える
をさらに備える、Ｃ１６に記載の装置。
［Ｃ１８］
前記第１のＰＵＣＣＨおよび前記第２のＰＵＣＣＨが、共通アップリンクコンポーネントキャリア上に構成される、Ｃ１６に記載の装置。
［Ｃ１９］
前記第２のＰＵＣＣＨ用のリソースが、前記第１のＰＵＣＣＨ用のリソースに少なくとも部分的に基づいて決定される、Ｃ１８に記載の装置。
［Ｃ２０］
前記第１のＰＵＣＣＨ用のリソースが、ダウンリンクコンポーネントキャリアの前記第１のグループ内の情報に少なくとも部分的に基づいて決定され、前記第２のＰＵＣＣＨ用のリソースが、ダウンリンクコンポーネントキャリアの前記第２のグループ内の情報に少なくとも部分的に基づいて決定される、Ｃ１８に記載の装置。
［Ｃ２１］
前記第１のＰＵＣＣＨが、前記マルチキャリア構成の第１のアップリンクコンポーネントキャリア上に構成され、前記第２のＰＵＣＣＨが、前記マルチキャリア構成の第２のアップリンクコンポーネントキャリア上に構成される、Ｃ１６に記載の装置。
［Ｃ２２］
前記第１のアップリンクコンポーネントキャリアが１次セルグループに対応し、前記第２のアップリンクコンポーネントキャリアが２次セルグループに対応する、Ｃ２１に記載の装置。
［Ｃ２３］
前記１次セルグループが第１の基地局に関連付けられ、前記２次セルグループが第２の基地局に関連付けられ、前記第１の基地局および前記第２の基地局が、非理想バックホールリンクを介して通信している、Ｃ２２に記載の装置。
［Ｃ２４］
前記第１のグループの前記ダウンリンクコンポーネントキャリア用のハイブリッド自動再送要求（ＨＡＲＱ）ペイロードサイズに基づいて、前記第１のＰＵＣＣＨ用の第１の電力制御値を決定するための手段と、
前記第２のグループの前記ダウンリンクコンポーネントキャリア用のＨＡＲＱペイロードサイズに基づいて、前記第２のＰＵＣＣＨ用の第２の電力制御値を決定するための手段と
をさらに備える、Ｃ１６に記載の装置。
［Ｃ２５］
前記第１のグループの前記ダウンリンクコンポーネントキャリア用のハイブリッド自動再送要求（ＨＡＲＱ）ペイロードサイズ、前記第２のグループの前記ダウンリンクコンポーネントキャリア用のＨＡＲＱペイロードサイズ、または、前記第１のグループの前記ダウンリンクコンポーネントキャリアと前記第２のグループの前記ダウンリンクコンポーネントキャリアの両方のＨＡＲＱペイロードサイズに基づいて、物理アップリンク共有チャネル（ＰＵＳＣＨ）オフセットを調整するための手段
をさらに備える、Ｃ１６に記載の装置。
［Ｃ２６］
前記第１のグループのダウンリンクコンポーネントキャリアの数、前記第２のグループのダウンリンクコンポーネントキャリアの数、または前記第１のグループと前記第２のグループの両方のダウンリンクコンポーネントキャリアの数に少なくとも部分的に基づいて、非周期的なチャネル状態情報（ＣＳＩ）報告をトリガするための手段
をさらに備える、Ｃ１６に記載の装置。
［Ｃ２７］
コンポーネントキャリアの前記第１のグループまたはコンポーネントキャリアの前記第２のグループのコンポーネントキャリアが、キャリアセグメントを含む、Ｃ１６に記載の装置。
［Ｃ２８］
前記第１のＰＵＣＣＨおよび前記第２のＰＵＣＣＨ上でスケジューリングされたチャネル状態情報（ＣＳＩ）報告に少なくとも部分的に基づいて、物理アップリンク共有チャネル（ＰＵＳＣＨ）上でアップリンク制御情報を送信すると決定するための手段
をさらに備える、Ｃ１６に記載の装置。
［Ｃ２９］
プロセッサと、
前記プロセッサと電子通信しているメモリと、
前記メモリに記憶された命令と
を備え、前記命令が、
６つ以上のダウンリンクコンポーネントキャリアをサポートするか、または二重物理アップリンク制御チャネル（ＰＵＣＣＨ）構成をサポートする能力をインジケーティングすることと、
ダウンリンクコンポーネントキャリアの第１のグループとダウンリンクコンポーネントキャリアの第２のグループとを備える、６つ以上のダウンリンクコンポーネントキャリアのマルチキャリア構成を受信することと、
第１のＰＵＣＣＨまたは第２のＰＵＣＣＨのうちの少なくとも１つを送信することと、前記第２のＰＵＣＣＨが前記第２のグループのダウンリンクコンポーネントキャリアに関連付けられる
を行うように前記プロセッサによって実行可能であり、前記第１のＰＵＣＣＨが前記第１のグループのダウンリンクコンポーネントキャリアに関連付けられる、ワイヤレス通信のための装置。
［Ｃ３０］
ワイヤレス通信のためのコンピュータ実行可能コードを記憶する非一時的コンピュータ可読媒体であって、前記コードが、
６つ以上のダウンリンクコンポーネントキャリアをサポートするか、または二重物理アップリンク制御チャネル（ＰＵＣＣＨ）構成をサポートする能力を指示することと、
コンポーネントキャリアの第１のグループとコンポーネントキャリアの第２のグループとを備える、６つ以上のダウンリンクコンポーネントキャリアのマルチキャリア構成を受信することと、
第１のＰＵＣＣＨまたは第２のＰＵＣＣＨのうちの少なくとも１つを送信することと、前記第１のＰＵＣＣＨが前記第１のグループのダウンリンクコンポーネントキャリアに関連付けられ、前記第２のＰＵＣＣＨが前記第２のグループのダウンリンクコンポーネントキャリアに関連付けられる
を行うようにプロセッサによって実行可能である、非一時的コンピュータ可読媒体。
【図１】
0006573963.tif 000002
【図２Ａ】
0006573963.tif 000003
【図２Ｂ】
0006573963.tif 000004
【図３】
0006573963.tif 000005
【図４Ａ】
0006573963.tif 000006
【図４Ｂ】
0006573963.tif 000007
【図４Ｃ】
0006573963.tif 000008
【図５】
0006573963.tif 000009
【図６】
0006573963.tif 000010
【図７】
0006573963.tif 000011
【図８】
0006573963.tif 000012
【図９】
0006573963.tif 000013
【図１０】
0006573963.tif 000014
【図１１】
0006573963.tif 000015
【図１２】
0006573963.tif 000016
【図１３】
0006573963.tif 000017